(57)【要約】      （修正有）【課題】極めて簡単な構造で組立て及び分解が容易で、且つ丈夫で取扱い性にも優れ、安価に生産可能なかつらスタンドを提供すること。【解決手段】上部１１０ａ，１２０ａが曲線状に形成され下部１１０ｃ，１２０ｃに水平方向に指向する脚片部１１２，１２２が形成された支柱片１１０，１２０同士を組合せることにより、上部には略半円形状または半楕円状を成すかつら受け部が形成されるとともに、下部には脚片部から成る水平方向に指向する複数の脚部が形成されて組立てられることを特徴とする構成とした。【選択図】図１
0003196973.tif 000002
【実用新案登録請求の範囲】
【請求項１】
上部が曲線状に形成され下部に水平方向に指向する脚片部が形成された支柱片同士を組合せることにより、
上部には略半円形状または半楕円状を成すかつら受け部が形成されるとともに、
下部には上記脚片部から成る水平方向に指向する複数の脚部が形成されて組立てられることを特徴とするかつらスタンド。
【請求項２】
上記支柱片の一方には、その中央部位に下部から上方に指向する第一の切込み部が形成され、
上記支柱片の他方には、その中央部位に上部から下方に指向する第二の切込み部が形成され、
上記第一の切込み部と上記第二の切込み部とを係合することにより組立てられることを特徴とする請求項１記載のかつらスタンド。
【請求項３】
上記支柱片の一方の上記第一の切込み部には係合片が形成されるとともに、当該支柱片の上部側には係合片受け部が形成され、
上記支柱片の他方の上記第二の切込み部には上記一方の支柱片の係合片受け部と係合する係合片が形成されるとともに、当該他方の支柱片の中央部位より下部側には上記一方の支柱片の係合片が係合する係合片受け部が形成されたことを特徴とする請求項２記載のかつらスタンド。
【請求項４】
上記支柱片の一方には、その中央部位の上部近傍から下部近傍にかけて切込み部が形成され、
上記支柱片の他方には、その中央部位の上部及び下部に切欠き部が夫々形成され、
上記切欠き部を上記切込み部に係合させることにより組立てられることを特徴とする請求項１記載のかつらスタンド。
【請求項５】
上記一方の支柱片に形成された切込み部には係合片受け部が形成され、
上記他方の支柱片の所定位置には上記係合片受け部と係合する係合片が形成されていることを特徴とする請求項４記載のかつらスタンド。
【請求項６】
上記一方の支柱片に形成された切込み部には係合片が形成され、
上記他方の支柱片の所定位置には上記切込み部に形成された係合片と係合する係合片受け部が形成されていることを特徴とする請求項５記載のかつらスタンド。
【請求項７】
上記支柱片の一方には、その上部から下部にかけて第一の折り目が形成されるとともに上部側の所定位置には安定部材受け部が形成され、
上記支柱片の他方には、その上部から下部にかけて第二の折り目が形成されるとともに上部側の所定位置には安定部材受け部が形成され、
上記支柱片組立て時、内側に嵌合機構を形成した円形状または楕円形状の安定部材を上記安定部材受け部に当該嵌合機構を嵌め込むよう構成したことを特徴とする請求項１記載のかつらスタンド。
【請求項８】
上記一方の支柱片は上記第一の折り目に対して線対称に形成されるとともに当該第一の折り目上の所定位置には係合片受け部が形成され、
上記他方の支柱片は上記第二の折り目に対して線対称に形成されるとともに当該第二の折り目上の所定位置には係合片が形成され、
上記係合片を上記係合片受け部に係合させることにより組立てられることを特徴とする請求項７記載のかつらスタンド。
【請求項９】
上記支柱片の上部側には安定部材受け部が形成され、
当該支柱片組立て時、内側に嵌合機構を形成した円形状または楕円形状の安定部材を上記安定部材受け部に当該嵌合機構を嵌め込むよう構成したことを特徴とする請求項１乃至請求項６記載のかつらスタンド。
【請求項１０】
上記嵌合機構を上記安定部材受け部に嵌め込んだ状態で分解可能としたことを特徴とする請求項７または請求項９に記載のかつらスタンド。
【請求項１１】
上記脚部を着脱自在に装着する装着機構を上面に設けた台座部を具備したことを特徴とする請求項１乃至１０記載のかつらスタンド。
【請求項１２】
上面部に携帯用把手部を取付け可能とし、上記台座部に着脱自在に装着されるケースを設けたことを特徴とする請求項１１記載のかつらスタンド。
【考案の詳細な説明】
【技術分野】
【０００１】
本考案は、組立て及び分解が容易なかつらスタンド、特に簡単な構造で丈夫な組立て及び分解が容易なかつらスタンドに関する。
【背景技術】
【０００２】
従来、かつらを載置する器具としては、例えば胸像や首像のマネキンがあり、その頭部にかつらを載置するものであった。このものは、特定の場所での展示を主目的とするものであり、形状及び重量も大きく、取扱いを工夫する必要があった。また、一般家庭で用いるには不向きであった。
【０００３】
特許第５０１４５３８号公報（下記特許文献１）には、所定の柱状の形状に組立て可能な本体部と、この本体部の所定の部位に係止されるフランジ部とから構成される紙或いは合成樹脂により成形されたかつら載置用スタンドが開示されている。また、組立て時に少なくとも截頭６角錐になるように少なくとも６本の折り目が形成されており、この折り目により区画される各片のいずれかの片に、組立て時に截頭６角錐に係止し保持させるための保持機構を有するように構成された合成樹脂により成形されたかつら載置用スタンドが開示されている。特許文献１に開示されたかつら載置用スタンドは、マネキン型のものに比べれば、かつらを展示する際のスペースをとらず、搬送・携帯の面では便利ではある。
【０００４】
特開２０１２−１７５４６号公報（下記特許文献２）には、１枚の反発性を有する樹脂板からなるシートに平行関係にある折り目をｎ個（但しｎ≧５であり、同一直線上または同一直線近傍に位置する折り目は１個とカウントする）形成することにより設けられるｎ＋１個の支柱部と、折り目上に接続機構とを設け、シートの両端に位置する支柱部同士は接続機構を介して接続することにより２枚重ねの状態になり、両端以外の隣接する支柱部同士は接続機構を介して接続することにより２枚重ねの状態になるように構成したかつらスタンドが開示されている。特許文献２に開示されたかつらスタンドは、反発性を有する樹脂シートの厚みを増すことなく強度を確保しつつ安定してかつらを載置でき、組立及び分解が容易となることを意図したものである。
【０００５】
実用新案登録第３１８２１５１号公報（下記特許文献３）には、内側中央部分に形成されたウィッグ受け部と、ウィッグ受け部の両端部にて一体的となるよう形成されウィッグ受け部を囲繞するよう設けられた台座部とを具備する１枚の反発性を有する板状のシートであって、台座部にはウィッグ受け部と一体的に形成された部位とは異なる部位に接続機構が設けられ、この接続機構が接続状態にあるときはウィッグ受け部を上方に指向するよう湾曲するよう構成したかつらスタンドが開示されている。特許文献３に開示されたかつらスタンドは、反発性を有する板状のシートの厚みを増すことなく強度を確保し、安定してかつらを載置できるとともに、簡単な構造で組立て及び分解が容易で携帯性及び耐久性に優れ、通気性にも優れて毛髪の巻込み防止をも図ることを意図したものである。
【０００６】
実用新案登録第３１８７２２４号公報（下記特許文献４）には、組立て時に角錐台状になる反発性を有する樹脂板からなるシートであって、シートに角錐台の角数に対応して形成される複数の折り目部と、折り目部により区画され角錐台の側面を形成する複数の片部と、シート両端部に位置する片部に設けられ組立て時に当該片部同士が重なるよう保持する第一の保持機構部と、片部の長手方向の略中央部位に形成される折り曲げ機構部とを設け、複数の片部はその幅が一方から他方に向かうに従って順に広くまたは狭くなるよう形成した構成のかつらスタンドが開示されている。特許文献４に開示されたかつらスタンドは、簡単な構造でコンパクトであり、持ち運びに便利であるとともにかつらの形態を崩さずに安定してかつらを載置でき、且つ衛生面でも優れるというものである。
【先行技術文献】
【特許文献】
【０００７】
【特許文献１】特許第５０１４５３８号公報
【特許文献２】特開２０１２−１７５４６号公報
【特許文献３】実用新案登録第３１８２１５１号公報
【特許文献４】実用新案登録第３１８７２２４号公報
【考案の開示】
【考案が解決しようとする課題】
【０００８】
上述したように従来のかつらを載置する器具は、例えばマネキン式の場合は、形状及び重量も大きく、取扱性や持ち運びの面で問題がある。しかも、高価でもあり、一般家庭で用いるには不向きであった。
【０００９】
特許文献１に開示されたかつら載置用スタンドは、反発性を有する素材を用いるため、各折り目に沿って各片を順に折り曲げていくと、反発力を内包したまま脹らみを有する折り畳み状態になるものである。この折り畳み時のかつら載置用スタンドの大きさは、片の長手方向の長さ及び短手方向の長さ並びに重なり合った片の厚みとなる。このような構造では、設計上及び製造上の自由度が制約されてしまい、種々のバリエーションを生み難く、また取扱い性にも難があるものである。
【００１０】
特許文献２に開示されたかつらスタンドは、しっかりとした構造ではあるが、１枚の反発性を有する樹脂シートを重ね合せるので、やや複雑な構造を呈するものである。
【００１１】
特許文献３に開示されたかつらスタンドは、反発性を有する板状のシートの厚みを増すことなく強度を確保し、安定してかつらを載置できるが、特殊な構造を呈しているものである。
【００１２】
特許文献４に開示されたかつらスタンドは、コンパクトで持ち運びに便利ではあるが、特殊な構造を呈しているものである。
【００１３】
近時、極めて簡単な構造で且つ軽くて取扱い性に優れるかつらスタンドの提供が要望されている。しかしながら、その要望を充分満たすようなものは未だ出現していないのが実情である。
【００１４】
本考案は上記事情を考慮してなされたもので、上述の不具合を解消し、極めて簡単な構造で組立て及び分解が容易で、且つ丈夫なかつらスタンドを提供することを目的とする。
また、本考案は、取扱い性にも優れ、安価に生産することが可能なかつらスタンドを提供することを目的とする。
【課題を解決するための手段】
【００１５】
本考案は、上記目的を達成するために以下の通りの構成とすることを特徴とする。
【００１６】
（１）上部が曲線状に形成され下部に水平方向に指向する脚片部が形成された支柱片同士を組合せることにより、上部には略半円形状または半楕円状を成すかつら受け部が形成されるとともに、下部には上記脚片部から成る水平方向に指向する複数の脚部が形成されて組立てられる構成としたことを特徴とする。
【００１７】
（２）上記（１）の構成にあって、上記支柱片の一方にはその中央部位に下部から上方に指向する第一の切込み部が形成され、上記支柱片の他方にはその中央部位に上部から下方に指向する第二の切込み部が形成され、上記第一の切込み部と上記第二の切込み部とを係合することにより組立てられる構成としたことを特徴とする。
【００１８】
（３）上記（２）の構成にあって、上記支柱片の一方の上記第一の切込み部には係合片が形成されるとともに当該支柱片の上部側には係合片受け部が形成され、上記支柱片の他方の上記第二の切込み部には上記一方の支柱片の係合片受け部と係合する係合片が形成されるとともに当該他方の支柱片の中央部位より下部側には上記一方の支柱片の係合片が係合する係合片受け部が形成された構成としたことを特徴とする。
【００１９】
（４）上記（１）の構成にあって、上記支柱片の一方にはその中央部位の上部近傍から下部近傍にかけて切込み部が形成され、上記支柱片の他方にはその中央部位の上部及び下部に切欠き部が夫々形成され、上記切欠き部を上記切込み部に係合させることにより組立てられる構成としたことを特徴とする。
【００２０】
（５）上記（４）の構成にあって、上記一方の支柱片に形成された切込み部には係合片受け部が形成され、上記他方の支柱片の所定位置には上記係合片受け部と係合する係合片が形成された構成としたことを特徴とする。
【００２１】
（６）上記（５）の構成にあって、上記一方の支柱片に形成された切込み部には係合片が形成され、上記他方の支柱片の所定位置には上記切込み部に形成された係合片と係合する係合片受け部が形成された構成としたことを特徴とする。
【００２２】
（７）上記（１）の構成にあって、上記支柱片の一方にはその上部から下部にかけて第一の折り目が形成されるとともに上部側の所定位置には安定部材受け部が形成され、上記支柱片の他方にはその上部から下部にかけて第二の折り目が形成されるとともに上部側の所定位置には安定部材受け部が形成され、上記支柱片組立て時、内側に嵌合機構を形成した円形状または楕円形状の安定部材を上記安定部材受け部に当該嵌合機構を嵌め込むよう構成したことを特徴とする。
【００２３】
（８）上記（７）の構成にあって、上記一方の支柱片は上記第一の折り目に対して線対称に形成されるとともに当該第一の折り目上の所定位置には係合片受け部が形成され、上記他方の支柱片は上記第二の折り目に対して線対称に形成されるとともに当該第二の折り目上の所定位置には係合片が形成され、上記係合片を上記係合片受け部に係合させることにより組立てられるよう構成したことを特徴とする。
【００２４】
（９）上記（１）乃至（６）の構成にあって、上記支柱片の上部側には安定部材受け部が形成され、当該支柱片組立て時、内側に嵌合機構を形成した円形状または楕円形状の安定部材を上記安定部材受け部に当該嵌合機構を嵌め込むよう構成したことを特徴とする。
【００２５】
（１０）上記（７）または（９）の構成にあって、上記嵌合機構を上記安定部材受け部に嵌め込んだ状態で分解可能とした構成としたことを特徴とする。
【００２６】
（１１）上記（１）乃至（１０）の構成にあって、上記脚部を着脱自在に装着する装着機構を上面に設けた台座部を具備した構成としたことを特徴とする。
【００２７】
（１２）上記（１１）の構成にあって、上面部に携帯用把手部を取付け可能とし、上記台座部に着脱自在に装着されるケースを設けた構成としたことを特徴とする。
【００２８】
上記構成によれば、シンプルな構造で組立て及び分解が容易で、耐久性にも優れるかつらスタンドを提供することができるものである。
また、上記構成によれば、シンプルな構造ゆえ取扱い性にも優れ、経済的にも安価に生産可能なかつらスタンドを提供することできるものである。
【００２９】
さらに、上記構成によれば、組立て時、かつらの形態を崩さずに安定してかつらを載置できるとともに、通気性もよく衛生面でも優れるものである。加えて、携帯性にも優れるものである。
【考案の効果】
【００３０】
本考案によれば、極めて簡単な構造で組立て及び分解が容易で、且つ耐久性に優れるかつらスタンドを提供できるという効果を奏する。
また、本考案によれば、取扱い性にも優れ、安価に生産することが可能なかつらスタンドを提供できるという実用的効果を奏する。
【図面の簡単な説明】
【００３１】
【図１】本考案の第１の実施形態に係わるかつらスタンドの組立て前の分解状態の平面図である。
【図２】同実施形態に係わり、かつらスタンドの組立て後の斜視図である。
【図３】同実施形態に係わり、かつらスタンドを構成する支柱片の下部を拡大して示す平面図である。
【図４】同実施形態に係わり、かつらスタンドが装着される台座部の展開図である。
【図５】同実施形態に係わり、かつらスタンドが装着される台座部の斜視図である。
【図６】同実施形態に係わり、かつらスタンドが収納されるケース体の展開図である。
【図７】同実施形態に係わり、かつらスタンドが収納されるケース体の斜視図である。
【図８】本考案の第２の実施形態に係わるかつらスタンドの組立て前の分解状態の平面図である。
【図９】同実施形態に係わり、安定部材の平面図である。
【図１０】同実施形態に係わり、かつらスタンドの組立て後の斜視図である。
【図１１】本考案の第３の実施形態に係わるかつらスタンドの組立て前の分解状態の平面図である。
【図１２】同実施形態に係わり、かつらスタンドの組立て後の斜視図である。
【図１３】本考案の第４の実施形態に係わるかつらスタンドの組立て前の分解状態の平面図である。
【図１４】同実施形態に係わり、安定部材の平面図である。
【図１５】同実施形態に係わり、かつらスタンドの組立て後の斜視図である。
【図１６】本考案の第５の実施形態に係わるかつらスタンドの組立て前の分解状態の平面図である。
【図１７】同実施形態に係わり、かつらスタンドの組立て後の斜視図である。
【図１８】本考案の第６の実施形態に係わるかつらスタンドの組立て前の分解状態の平面図である。
【図１９】同実施形態に係わり、安定部材の平面図である。
【図２０】同実施形態に係わり、かつらスタンドの組立て後の斜視図である。
【図２１】同実施形態の変形例に係わる安定部材の平面図である。
【図２２】同実施形態の変形例に係わり、かつらスタンドの組立て後の斜視図である。
【図２３】本考案の第７の実施形態に係わるかつらスタンドの組立て前の分解状態の平面図である。
【図２４】同実施形態に係わり、かつらスタンドの組立て後の斜視図である。
【図２５】同実施形態の変形例に係わるかつらスタンドの組立て後の斜視図である。
【図２６】本考案の第８の実施形態に係わるかつらスタンドの組立て前の分解状態の平面図である。
【図２７】同実施形態に係わり、かつらスタンドの組立て後の斜視図である。
【図２８】本考案の第９の実施形態に係わるかつらスタンドの組立て前の分解状態の平面図である。
【図２９】同実施形態に係わり、かつらスタンドの組立て後の斜視図である。
【図３０】同実施形態の変形例に係わるかつらスタンドの組立て前の分解状態の平面図である。
【図３１】同実施形態の同変形例に係わり、かつらスタンドの組立て後の斜視図である。
【図３２】同実施形態のさらなる変形例に係わるかつらスタンドの組立て後の斜視図である。
【図３３】同実施形態のさらなる変形例に係わるかつらスタンドの組立て前の分解状態の平面図である。
【図３４】同実施形態の同変形例に係わり、かつらスタンドの組立て後の斜視図である。
【図３５】同実施形態のさらなる変形例に係わるかつらスタンドの組立て後の斜視図である。
【図３６】本考案の第１０の実施形態に係わるかつらスタンドの組立て前の分解状態の平面図である。
【図３７】同実施形態に係わり、かつらスタンドの組立て後の斜視図である。
【図３８】同実施形態の変形例に係わるかつらスタンドの組立て前の分解状態の平面図である。
【図３９】同実施形態の同変形例に係わり、かつらスタンドの組立て後の斜視図である。
【図４０】同実施形態のさらなる変形例に係わるかつらスタンドの組立て後の斜視図である。
【図４１】同実施形態のさらなる変形例に係わるかつらスタンドの組立て前の分解状態の平面図である。
【図４２】同実施形態の同変形例に係わり、かつらスタンドの組立て後の斜視図である。
【図４３】同実施形態のさらなる変形例に係わるかつらスタンドの組立て後の斜視図である。
【図４４】本考案の第１１の実施形態に係わるかつらスタンドの組立て前の分解状態の平面図である。
【図４５】同実施形態に係わり、かつらスタンドの組立て後の斜視図である。
【図４６】同実施形態の変形例に係わるかつらスタンドの組立て後の斜視図である。
【図４７】同実施形態のさらなる変形例に係わるかつらスタンドの組立て前の分解状態の平面図である。
【図４８】同実施形態の同変形例に係わり、かつらスタンドの組立て後の斜視図である。
【図４９】同実施形態のさらなる変形例に係わるかつらスタンドの組立て後の斜視図である。
【図５０】本考案の第１２の実施形態に係わるかつらスタンドの組立て前の分解状態の平面図である。
【図５１】同実施形態に係わり、かつらスタンドの組立て後の斜視図である。
【図５２】同実施形態の変形例に係わるかつらスタンドの組立て前の分解状態の平面図である。
【図５３】同実施形態の同変形例に係わり、かつらスタンドの組立て後の斜視図である。
【図５４】同実施形態のさらなる変形例に係わるかつらスタンドの組立後の斜視図である。
【図５５】同実施形態のさらなる変形例に係わるかつらスタンドの組立て前の分解状態の平面図である。
【図５６】同実施形態の同変形例に係わり、かつらスタンドの組立て後の斜視図である。
【図５７】同実施形態のさらなる変形例に係わるかつらスタンドの組立後の斜視図である。
【図５８】本考案の第１３の実施形態に係わるかつらスタンドの組立て前の分解状態の平面図である。
【図５９】同実施形態に係わり、かつらスタンドの組立て後の斜視図である。
【図６０】同実施形態の変形例に係わるかつらスタンドの組立て後の斜視図である。
【図６１】同実施形態のさらなる変形例に係わるかつらスタンドの組立て前の分解状態の平面図である。
【図６２】同実施形態の同変形例に係わり、かつらスタンドの組立て後の斜視図である。
【図６３】同実施形態のさらなる変形例に係わるかつらスタンドの組立後の斜視図である。
【図６４】本考案の第１４の実施形態に係わるかつらスタンドの組立て前の分解状態の平面図である。
【図６５】同実施形態に係わり、かつらスタンドの組立て後の斜視図である。
【図６６】同実施形態の変形例に係わるかつらスタンドの組立て前の分解状態の平面図である。
【図６７】同実施形態の同変形例に係わり、かつらスタンドの組立て後の斜視図である。
【図６８】同実施形態のさらなる変形例に係わるかつらスタンドの組立後の斜視図である。
【図６９】同実施形態のさらなる変形例に係わるかつらスタンドの組立て前の分解状態の平面図である。
【図７０】同実施形態の同変形例に係わり、かつらスタンドの組立て後の斜視図である。
【図７１】同実施形態のさらなる変形例に係わるかつらスタンドの組立後の斜視図である。
【図７２】本考案の第１５の実施形態に係わるかつらスタンドの組立て前の分解状態の平面図である。
【図７３】同実施形態に係わり、かつらスタンドの組立て後の斜視図である。
【図７４】同実施形態の変形例に係わるかつらスタンドの組立て後の斜視図である。
【図７５】同実施形態のさらなる変形例に係わるかつらスタンドの組立て前の分解状態の平面図である。
【図７６】同実施形態の同変形例に係わり、かつらスタンドの組立て後の斜視図である。
【図７７】同実施形態のさらなる変形例に係わるかつらスタンドの組立後の斜視図である。
【図７８】本考案の第１６の実施形態に係わるかつらスタンドの組立て前の分解状態の平面図である。
【図７９】同実施形態の変形例に係わるかつらスタンドの組立て前の分解状態の平面図である。
【図８０】同実施形態の同変形例に係わり、かつらスタンドの組立て後の斜視図である。
【図８１】同実施形態のさらなる変形例に係わるかつらスタンドの組立後の斜視図である。
【図８２】同実施形態のさらなる変形例に係わるかつらスタンドの組立て前の分解状態の平面図である。
【図８３】同実施形態の同変形例に係わり、かつらスタンドの組立て後の斜視図である。
【図８４】同実施形態のさらなる変形例に係わるかつらスタンドの組立後の斜視図である。
【図８５】本考案の第１７の実施形態に係わるかつらスタンドの組立て前の分解状態の平面図である。
【図８６】同実施形態に係わり、かつらスタンドの組立て後の斜視図である。
【考案を実施するための形態】
【００３２】
以下本考案の実施形態につき、図を参照して説明する。
【００３３】
（第１の実施形態）
第１の実施形態に係わるかつらスタンド１００は、図１乃至図３に示すように、例えば厚さ１．０ｍｍ程度の反発性を有し折り曲げると強度が増す性質を有するポリプロピレン（ＰＰ）製の２枚の支柱片１１０，１２０同士を組合せることにより、組立てられるものである。
【００３４】
支柱片１１０は中心線Ａ−Ａに対して線対称の形状であり、その上部１１０aは緩やかな曲線状（略半円形状または半楕円状）に形成され、中央部１１０bの近傍は幅が狭くくびれ状に形成され、下部１１０ｃには水平方向に指向する脚片部１１２，１１２が形成されている。また、支柱片１１０には、中心線Ａ−Ａ上の下部１１０ｃから中央部１１０ｂにかけて上方に指向する第一の切込み部１１４が形成されている。
【００３５】
脚片部１１２は、その上部１１２ａに内方へ指向する切欠き状の切欠き部１１６が形成されている。また、脚片部１１２の下端部１１２ｂは、支柱片１１０の下端部１１０ｄよりも下方へ突出するよう形成されている。
【００３６】
なお、第一の切込み部１１４の中央部位上側には、係合片１１８が形成されている。また、支柱片１１０の上部１１０ａ側の中心線Ａ−Ａ上には、係合片受け部１１９が形成されている。
【００３７】
他方の支柱片１２０はその外周形状は支柱片１１０と略同じであり、中心線Ｂ−Ｂに対して線対称の形状で、その上部１２０aは緩やかな曲線状（略半円形状または半楕円状）に形成され、中央部１２０ｂの近傍は幅が狭くくびれ状に形成され、下部１２０ｃには水平方向に指向する脚片部１２２，１２２が形成されている。また、支柱片１２０には、中央部（中心線Ｂ−Ｂ上）に上部１２０ａから中央部１２０ｂにかけて下方に指向する第二の切込み部１２４が形成されている。
【００３８】
脚片部１２２は、その上部１２２ａに内方へ指向する切欠き状の切欠き部１２６が形成されている。また、脚片部１２２の下端部１２２ｂは、支柱片１２０の下端部１２０ｄよりも下方へ突出するよう形成されている。
【００３９】
なお、第二の切込み部１２４の中央部位上側には、係合片１２８が形成されており、組立て時に係合片受け部１１９に嵌め込み係合するよう構成されている。また、支柱片１２０の中央部１２０b近傍の中心線Ｂ−Ｂ上には、係合片受け部１２９が形成されており、組立て時に係合片１１８が嵌め込まれて係合するよう構成されている。
【００４０】
而して第一の切込み部１１４と第二の切込み部１２４を介して支柱片１１０，１２０同士をクロスさせ、係合片１１８を係合片受け部１２９に嵌め込み係合させるとともに、係合片１２８を係合片受け部１１９に嵌め込み係合させることにより組立てると、上部が緩やかな曲線状に形成されたかつら受け部１００ａを構成し、下部は水平方向に指向する四つの脚部１００ｂが形成されるかつらスタンド１００になる。
【００４１】
次に、かつらスタンド１００を着脱自在に装着する台座部２００を図４及び図５を参照して説明する。
【００４２】
台座部２００は１枚のＰＰ製の樹脂板から形成されており、六角形状の上面部２００ａは脚部１００ｂの高さより数ｍｍ程度低い高さ（短辺部分）である夫々５個の内側面部２００ｂと外側面部２００ｃ、上面部２００ａと同様の六角形状の底面部２００ｄ、及び内側面部２００ｂや外側面部２００ｃと同様に側面部として機能するとともに上面部２００ａと底面部２００ｄとを繋ぐよう機能する側面蝶番部２００ｅとからなる。ここで、台座部２００の高さを脚部１００ｂの高さよりも数ｍｍ低くしているのは、かつらスタンド１００と台座部２００を装着した際、台座部２００の上面部２００ａが少し盛り上がり、かつらスタンド１００を押さえつける力が発生することにより、かつらスタンド１００の安定載置の向上を意図して構成したものである。
【００４３】
さて、上面部２００ａには、スタンド受け機構部２１０が形成されている。このスタンド受け機構部２１０には、スタンド受けスリット部２１０ａ、スタンド受けロック溝受け部２１０ｂ、スタンド受け保持スリット部２１０ｃ及びスタンド受け保持スリット端部２１０ｄが形成され、脚部１００ｂを着脱自在に装着するよう構成されている。ここで、脚部１００ｂを装着するスタンド受け機構部２１０の端部に設けられた幅の狭いスタンド受け保持スリット部２１０ｃは、脚部１００ｂが差し込まれる際にスタンド受け保持スリット部２１０ｃが拡がるよう形成されている。また、切欠き部１２６がスタンド受け保持スリット部２１０ｃに差し込まれて曲線状の切欠き形状を有するスタンド受け保持スリット端部２１０ｄに係合するよう構成されている。このように切欠き形状の先端部分を鉤状にすることにより、かつらスタンド１００を台座部２００に装着した際に当該切欠き形状が裂けるのを防止するよう機能するものでもある。なお、切込みの幅は、脚部１００ｂの先端の幅を考慮して形成してある。さらに、上面部２００ａの外周部には、６個の上面ガイドつめ受けスリット部２２０が設けられている。
【００４４】
内側面部２００ｂのうち、側面蝶番部２００ｅと接する２個の内側面部２００ｂ，２００ｂ及び側面蝶番部２００ｅの平行関係にある内側面部２００ｂは、他の２個の内側面部２００ｂとは構成が異なり、内側面ホック用リブ２３０が側面ホック２４０を設けた側面ホック台座部２５０の両側に位置することにより構成されている。
【００４５】
各外側面部２００ｃには、外側面つめ２６０と外側面つめロック部２７０が形成されている。
【００４６】
底面部２００ｄと前記他の２個の内側面部２００ｂとが繋がる部位には、内側面つめ受け部２８０が形成されている。また、底面部２００ｄと前記側面蝶番部２００ｅと接する２個の内側面部２００ｂ，２００ｂ及び側面蝶番部２００ｅと平行関係にある内側面部２００ｂとが繋がる部位には、内側面ホック用リブロック部２９０が形成されている。
【００４７】
続いて、台座部２００に着脱自在に装着されるケース体３００について、図６及び図７を参照して説明する。
【００４８】
ケース体３００は１枚のＰＰ製の樹脂板から形成されており、六角形状の上蓋３０１及び下蓋３０２、６個の長方形状の側面部３０３と、この側面部３０３を溶着する溶着部３０４とからなる。
【００４９】
上蓋３０１には、側面部３０３とは繋がっていない外周部位に１個の上蓋正面つめ３０５と４個の上蓋つめ３０６が形成されている。そして、各上蓋つめ３０６の両側には、上蓋つめロック部３０７が形成されている。また、上蓋３０１には、上蓋ハンドル用穴部３０８が２個穿説されている。
【００５０】
下蓋３０２には、側面部３０３とは繋がっていない外周部位に４個の下蓋つめガイド部３０９が形成されている。また、下蓋３０２には、下蓋正面つけ受け部３１０と、２個の下蓋ハンドル用穴部３１１が穿説されている。
【００５１】
上蓋３０１または下蓋３０２とは繋がってない４個の側面部３０３夫々には、側面上リブ３１２と側面上リブ蓋つめ受け部３１３が形成されている。また、３個の側面部３０３（図６で左から１個目、３個目、５個目に位置する側面部３０３）には、側面台座ホックガイド部３１４が形成されている。さらに各側面台座ホックガイド部３１４の上方には側面ホック３１５が設けられている。
【００５２】
而して溶着部３０４は、一端に位置する側面部３０３（図６の右端に位置する側面部３０３）に繋がっており、他端に位置する側面部３０３（図６の左端に位置する側面部３０３）の内側面にて溶着するよう構成されている。溶着部３０４が側面部３０３の内側にて溶着すると、六角柱状のケース体３００となる。なお、ケース体３００の上部には、両端部が上蓋ハンドル用穴部３０８と下蓋ハンドル用穴部３１１にて留められるハンドル３１６が着脱可能に設けられる。
【００５３】
上記構成につき、その作用を以下に述べる。
【００５４】
かつらスタンド１００の組立ては、先ず、支柱片１１０の下方から支柱片１２０を上方へ移動させて、第二の切込み部１２４を第一の切込み部１１４にクロス状態になるよう挿し込み係合させる。或いは、支柱片１２０の上方から支柱片１１０を下方へ移動させて、第一の切込み部１１４を第二の切込み部１２４にクロス状態になるよう挿し込み係合させる。次に、係合片１１８を係合片受け部１２９に嵌め込み係合させる。続いて、係合片１２８を係合片受け部１１９に嵌め込み係合させる。而して、上部には緩やかな曲線状に形成されたかつら受け部１００ａが、下部には水平方向に指向する四つの脚部１００ｂが形成されるかつらスタンド１００が組立てられることになる。
【００５５】
斯様にして組立てられたかつらスタンド１００は、着脱自在に取着可能な台座部２００に取付けられる。
台座部２００は上面及び側面を有する箱構造であるため強度が高く変形し難いうえ、かつらスタンド１００の形状を安定させることができる。加えて、台座部の上面部２００ａにかつらスタンド本体の放射状の下端部（脚部１００ｂ）を挿し込んで固定できるスタンド受け機構部２１０を有するので、かつらスタンド１００を容易に着脱自在に台座部２００に取付け固定することができる。また、スタンド受け機構部２１０の端部には、幅の狭いスタンド受け保持スリット部２１０ｃが設けられているので、かつらスタンド１００の脚部１００ｂ（即ち脚片部１１２，１１２，１２２，１２２）に設けられた切欠き部１１６，１１６，１２６，１２６がスタンド受け保持スリット部２１０ｃに係合して固定し易い。しかも、スタンド受け保持スリット端部２１０ｄには曲線状の切欠きが形成されており、かつらスタンド１００を挿し込む際に、スタンド受け保持スリット部２１０ｃが拡がるので、かつらスタンド１００の下端部を差し込み易いものである。
【００５６】
台座部２００に取付けられたかつらスタンド１００は、ケース体３００に収納すれば運搬や保管に寄与することとなる。即ち、ケース体３００の側面ホック３１５が台座部２００の側面ホック２４０に留められることにより、ケース体３００は台座部２００と一体となり、かつらスタンド１００の運搬や保管に寄与することとなる。
【００５７】
組立てられたかつらスタンド１００を分解する場合は、先ず、ケース体３００の側面ホック３１５と台座部２００の側面ホック２４０とが留められた状態を解除し、ケース体３００を台座部２００から取り外す。次に台座部２００に取付けられたかつらスタンド１００を上方に引張りあげるようにして引き抜くと、かつらスタンド１００は台座部２００から取り外せる。
この後、係合片１１８と係合片受け部１２９の係合状態を解除すべく、係合片１１８を係合片受け部１２９から引き抜く。続いて、係合片１２８と係合片受け部１１９の係合状態を解除すべく、係合片１２８を係合片受け部１１９から引き抜く。そして、支柱片１１０を上方へ移動させて、第一の切込み部１１４と第二の切込み部１２４との係合状態を解除して支柱片１２０から離間させれば分解終了となる。或いは、支柱片１２０を下方へ移動させて、第二の切込み部１２４と第一の切込み部１１４との係合状態を解除して支柱片１１０から離間させれば分解終了となる。
【００５８】
上記実施形態によれば、簡単な構造で組立て及び分解が容易でコンパクト且つ携帯性及び耐久性に優れるかつらスタンドを提供できるものである。また、かつらの形態を崩さずに安定してかつらを載置できるとともに、その形状から通気性にも優れ、取扱性及び衛生面での向上を図れるものである。さらに、安価に生産することが可能なかつらスタンドを提供できるという経済的且つ実用的効果を奏する。
【００５９】
なお、本考案は上記実施形態に限定されることなく、例えばシートの厚さは１．０ｍｍ程度に限定されるものではない。また、シートは樹脂製でなくともダンボール紙等の素材でもよい。即ち、本実施形態では厚さは１．０ｍｍ程度としたが、厚さはこれに限定されず、一般的に考えられている０．５ｍｍ〜１．２ｍｍの範囲内で或いはこの範囲外であったとしても、材質や構造に応じた相応しい厚みにしてもよいことは勿論である。
【００６０】
（第２の実施形態）
続いて本考案の第２の実施形態について、図８乃至図１０を参照して説明する。第１の実施形態と同一部分及び同一機能については、同一番号を付して説明する。また、台座部２００及びケース体３００については、同一につき説明は省略する。
【００６１】
本実施形態に係わるかつらスタンド１００は、安定部材たるリング部材４００を設けたことを特徴とする。また、かつらスタンド１００は、例えば厚さ１．０ｍｍ程度の反発性を有し、折り曲げると強度が増す性質を有するＰＰ製の２枚の支柱片１１０，１２０同士を組合せることにより、組立てられるものである。
【００６２】
支柱片１１０は中心線Ａ−Ａに対して線対称の形状であり、その上部１１０aは緩やかな曲線状（略半円形状または半楕円状）に形成され、中央部１１０ｂの近傍は幅が狭くくびれ状に形成され、下部１１０ｃには水平方向に指向する脚片部１１２，１１２が形成されている。また、支柱片１１０には、中心線Ａ−Ａ上の下部１１０ｃから中央部１１０ｂにかけて上方に指向する第一の切込み部１１４が形成されている。
【００６３】
脚片部１１２は、その上部１１２ａに内方へ指向する切欠き状の切欠き部１１６が形成されている。また、脚片部１１２の下端部１１２ｂは、支柱片１１０の下端部１１０ｄよりも下方へ突出するよう形成されている。
【００６４】
なお、支柱片１１０の上部側には、例えば支柱片１１０の下端部から上方に向かって全体の高さＨの３／４に当たる位置には、切欠き状のリング部材受け部（安定部材受け部）１３２，１３２が形成されている。
【００６５】
他方の支柱片１２０はその外周形状は支柱片１１０と略同じであり、中心線Ｂ−Ｂに対して線対称の形状で、その上部１２０aは緩やかな曲線状（略半円形状または半楕円状）に形成され、中央部１２０ｂの近傍は幅が狭くくびれ状に形成され、下部１２０ｃには水平方向に指向する脚片部１２２，１２２が形成されている。また、支柱片１２０には、中央部（中心線Ｂ−Ｂ上）に上部１２０ａから中央部１２０ｂにかけて下方に指向する第二の切込み部１２４が形成されている。
【００６６】
脚片部１２２は、その上部１２２ａに内方へ指向する切欠き状の切欠き部１２６が形成されている。また、脚片部１２２の下端部１２２ｂは、支柱片１２０の下端部１２０ｄよりも下方へ突出するよう形成されている。
【００６７】
なお、支柱片１２０の上部側には、支柱片１１０と同様に例えば支柱片１２０の下端部から上方に向かって全体の高さＨの３／４に当たる位置には、切欠き状のリング部材受け部（安定部材受け部）１３４，１３４が形成されている。
【００６８】
リング部材４００は、内側に嵌合機構４２０を形成した外観が円形状のＰＰ製の安定部材である。即ち、このリング部材４００は十文字状の溝が穿設され、その十文字上の頂点部分４２０ａ，４２０ａ，４２０ａ，４２０ａがリング部材受け部１３２，１３２，１３４，１３４に嵌合する嵌合機構４２０を形成している。なお、リング部材４００の形状は外観が楕円形状であってもよい。
【００６９】
而して支柱片１１０の下方から支柱片１２０を上方へ移動させて、第二の切込み部１２４を第一の切込み部１１４にクロス状態になるよう挿し込み係合させる。或いは、支柱片１２０の上方から支柱片１１０を下方へ移動させて、第一の切込み部１１４を第二の切込み部１２４にクロス状態になるよう挿し込み係合させる。クロス状態に組立てられた支柱片１１０，１２０のリング部材受け部１３２，１３２，１３４，１３４にリング部材４００の嵌合機構４２０を嵌め込めば、即ち十文字上の頂点部分４２０ａを夫々嵌め込めば、上部が緩やかな曲線状に形成されたかつら受け部１００ａを構成し、下部は水平方向に指向する四つの脚部１００ｂが形成されるかつらスタンド１００になる。
【００７０】
上記実施形態によれば、簡単な構造で組立て及び分解が容易でコンパクト且つ携帯性及び耐久性に優れるかつらスタンドを提供できるものである。また、かつらの形態を崩さずに安定してかつらを載置できるとともに、その形状から通気性にも優れ、取扱性及び衛生面での向上を図れるものである。さらに、安価に生産することが可能なかつらスタンドを提供できるという経済的且つ実用的効果を奏する。
【００７１】
さらに、上記実施形態によれば、リング部材４００によりかつらスタンドの組立て時及びかつら載置時の安定性の向上が図れるものである。
【００７２】
（第３の実施形態）
本考案の第３の実施形態について、図９、図１１乃び図１２を参照して説明する。第１及び第２の実施形態と同一部分及び同一機能については、同一番号を付して説明する。また、台座部２００及びケース体３００については、同一につき説明は省略する。
【００７３】
本実施形態に係わるかつらスタンド１００は、支柱片１１０，１２０に係合片１１８，１２８と係合片受け部１１９，１２９を形成するとともに、安定部材たるリング部材４００を設けたことを特徴とする。また、かつらスタンド１００は、例えば厚さ１．０ｍｍ程度の反発性を有し、折り曲げると強度が増す性質を有するＰＰ製の２枚の支柱片同士を組合せることにより、組立てられるものである。
【００７４】
支柱片１１０は中心線Ａ−Ａに対して線対称の形状であり、その上部１１０aは緩やかな曲線状（略半円形状または半楕円状）に形成され、中央部１１０ｂの近傍は幅が狭くくびれ状に形成され、下部１１０ｃには水平方向に指向する脚片部１１２，１１２が形成されている。また、支柱片１１０には、中心線Ａ−Ａ上の下部１１０ｃから中央部１１０ｂにかけて上方に指向する第一の切込み部１１４が形成されている。
【００７５】
脚片部１１２は、その上部１１２ａに内方へ指向する切欠き状の切欠き部１１６が形成されている。また、脚片部１１２の下端部１１２ｂは、支柱片１１０の下端部１１０ｄよりも下方へ突出するよう形成されている。
【００７６】
なお、第一の切込み部１１４の中央部位上側には、係合片１１８が形成されている。また、支柱片１１０の上部１１０ａ側の中心線Ａ−Ａ上には、係合片受け部１１９が形成されている。
【００７７】
また、支柱片１１０の上部側には、例えば支柱片１１０の下端部から上方に向かって全体の高さＨの３／４に当たる位置には、切欠き状のリング部材受け部（安定部材受け部）１３２，１３２が形成されている。
【００７８】
他方の支柱片１２０はその外周形状は支柱片１１０と略同じであり、中心線Ｂ−Ｂに対して線対称の形状で、その上部１２０aは緩やかな曲線状（略半円形状または半楕円状）に形成され、中央部１２０ｂの近傍は幅が狭くくびれ状に形成され、下部１２０ｃには水平方向に指向する脚片部１２２，１２２が形成されている。また、支柱片１２０には、中央部（中心線Ｂ−Ｂ上）に上部１２０ａから中央部１２０ｂにかけて下方に指向する第二の切込み部１２４が形成されている。
【００７９】
脚片部１２２は、その上部１２２ａに内方へ指向する切欠き状の切欠き部１２６が形成されている。また、脚片部１２２の下端部１２２ｂは、支柱片１２０の下端部１２０ｄよりも下方へ突出するよう形成されている。
【００８０】
なお、第二の切込み部１２４の中央部位上側には、係合片１２８が形成されており、組立て時に係合片受け部１１９に嵌め込み係合するよう構成されている。また、支柱片１２０の中央部１２０ｂから下部１２０ｃ側の中心線Ｂ−Ｂ上には、係合片受け部１２９が形成されており、組立て時に係合片１１８が嵌め込まれて係合するよう構成されている。
【００８１】
また、支柱片１２０の上部側には、例えば支柱片１２０の下端部から上方に向かって全体の高さＨの３／４に当たる位置には、切欠き状のリング部材受け部（安定部材受け部）１３４，１３４が形成されている。
【００８２】
リング部材４００は、前述の図９に示すように内側に嵌合機構４２０を形成した外観が円形状のＰＰ製の安定部材である。即ち、このリング部材４００は十文字状の溝が穿設され、その十文字上の頂点部分４２０ａ，４２０ａ，４２０ａ，４２０ａがリング部材受け部１３２，１３２，１３４，１３４に嵌合する嵌合機構４２０を形成している。なお、リング部材４００の形状は外観が楕円形状であってもよい。
【００８３】
而して支柱片１１０の下方から支柱片１２０を上方へ移動させて、第二の切込み部１２４を第一の切込み部１１４にクロス状態になるよう挿し込み係合させる。或いは、支柱片１２０の上方から支柱片１１０を下方へ移動させて、第一の切込み部１１４を第二の切込み部１２４にクロス状態になるよう挿し込み係合させる。この後、係合片１１８を係合片受け部１２９に嵌め込み係合させる。続いて、係合片１２８を係合片受け部１１９に嵌め込み係合させる。そして、クロス状態に組立てられた支柱片１１０，１２０のリング部材受け部１３２，１３２，１３４，１３４にリング部材４００の嵌合機構４２０を嵌め込めば、即ち十文字上の頂点部分４２０ａを夫々嵌め込めば、上部が緩やかな曲線状に形成されたかつら受け部１００ａを構成し、下部は水平方向に指向する四つの脚部１００ｂが形成されるかつらスタンド１００になる。
【００８４】
上記実施形態によれば、簡単な構造で組立て及び分解が容易でコンパクト且つ携帯性及び耐久性に優れるかつらスタンドを提供できるものである。また、かつらの形態を崩さずに安定してかつらを載置できるとともに、その形状から通気性にも優れ、取扱性及び衛生面での向上を図れるものである。さらに、安価に生産することが可能なかつらスタンドを提供できるという経済的且つ実用的効果を奏する。
【００８５】
さらに、上記実施形態によれば、係合片１１８，１２８と係合片受け部１１９，１２９及びリング部材４００によりかつらスタンドの組立て時及びかつら載置時のさらなる安定性の向上が図れるものである。
【００８６】
（第４の実施形態）
本考案の第４の実施形態について、図１３乃至図１５を参照して説明する。第１乃至第３の実施形態と同一部分及び同一機能については、同一番号を付して説明する。また、台座部２００及びケース体３００については、同一につき説明は省略する。
【００８７】
本実施形態に係わるかつらスタンド１００は、例えば厚さ１．０ｍｍ程度の反発性を有し、折り曲げると強度が増す性質を有するＰＰ製の２枚の支柱片１１０，１２０同士を組合せることにより、組立てられるものである。そして分解時、支柱片１１０，１２０を分散させることなく重ねた状態で管理することが可能な安定部材たるリング部材５００を設けたことを特徴とする。
【００８８】
支柱片１１０は中心線Ａ−Ａに対して線対称の形状であり、その上部１１０aは緩やかな曲線状（略半円形状または半楕円状）に形成され、中央部１１０ｂの近傍は幅が狭くくびれ状に形成され、下部１１０ｃには水平方向に指向する脚片部１１２，１１２が形成されている。また、支柱片１１０には、中心線Ａ−Ａ上の下部１１０ｃから中央部１１０ｂにかけて上方に指向する第一の切込み部１１４が形成されている。
【００８９】
脚片部１１２は、その上部１１２ａに内方へ指向する切欠き状の切欠き部１１６が形成されている。また、脚片部１１２の下端部１１２ｂは、支柱片１１０の下端部１１０ｄよりも下方へ突出するよう形成されている。
【００９０】
なお、支柱片１１０の上部側には、例えば支柱片１１０の下端部から上方に向かって全体の高さＨの３／４に当たる位置には、切欠き状のリング部材受け部（安定部材受け部）１３２，１３２が形成されている。
【００９１】
他方の支柱片１２０はその外周形状は支柱片１１０と略同じであり、中心線Ｂ−Ｂに対して線対称の形状で、その上部１２０aは緩やかな曲線状（略半円形状または半楕円状）に形成され、中央部１２０ｂの近傍は幅が狭くくびれ状に形成され、下部１２０ｃには水平方向に指向する脚片部１２２，１２２が形成されている。また、支柱片１２０には、中央部（中心線Ｂ−Ｂ上）に上部１２０ａから中央部１２０ｂにかけて下方に指向する第二の切込み部１２４が形成されている。
【００９２】
脚片部１２２は、その上部１２２ａに内方へ指向する切欠き状の切欠き部１２６が形成されている。また、脚片部１２２の下端部１２２ｂは、支柱片１２０の下端部１２０ｄよりも下方へ突出するよう形成されている。
【００９３】
なお、支柱片１２０の上部側には、例えば支柱片１２０の下端部から上方に向かって全体の高さＨの３／４に当たる位置には、切欠き状のリング部材受け部（安定部材受け部）１３４，１３４が形成されている。
【００９４】
リング部材５００は、内側に嵌合機構５２０を形成した外観が円形状のＰＰ製の安定部材である。即ち、このリング部材５００はあたかも蝶の翅を拡げたような形状の孔が穿設され、当該孔の四箇所の頂点部分５００ａ，５００ａ，５００ａ，５００ａにリング部材受け部１３２，１３２，１３４，１３４と嵌合する嵌合機構５２０を形成している。ここで、穿設した孔を蝶の翅を拡げたような形状としたのは、リング部材５００を支柱片１１０，１２０から取り外すことなくリング部材５００の内側に支柱片１１０，１２０を位置させたままで、支柱片１１０，１２０を重ね合わせられるようにするためである。なお、リング部材５００の形状は外観が楕円形状であってもよい。
【００９５】
而して支柱片１１０の下方から支柱片１２０を上方へ移動させて、第二の切込み部１２４を第一の切込み部１１４にクロス状態になるよう挿し込み係合させる。或いは、支柱片１２０の上方から支柱片１１０を下方へ移動させて、第一の切込み部１１４を第二の切込み部１２４にクロス状態になるよう挿し込み係合させる。そして、クロス状態に組立てられた支柱片１１０，１２０のリング部材受け部１３２，１３２，１３４，１３４にリング部材５００の嵌合機構５２０を嵌め込めば、即ち孔の頂点部分５００ａを夫々嵌め込めば、上部が緩やかな曲線状に形成されたかつら受け部１００ａを構成し、下部は水平方向に指向する四つの脚部１００ｂが形成されるかつらスタンド１００になる。
組立てられたかつらスタンド１００は、どちらか一方の支柱片、即ち支柱片１１０または支柱片１２０をリング部材５００との嵌合状態を解除すると、リング部材５００を取り外すことなく、リング部材５００の孔内で支柱片１１０，１２０同士を重ね合わせた状態で分解できるものである。
【００９６】
上記実施形態によれば、簡単な構造で組立て及び分解が容易でコンパクト且つ携帯性及び耐久性に優れるかつらスタンドを提供できるものである。また、かつらの形態を崩さずに安定してかつらを載置できるとともに、その形状から通気性にも優れ、取扱性及び衛生面での向上を図れるものである。さらに、安価に生産することが可能なかつらスタンドを提供できるという経済的且つ実用的効果を奏する。
【００９７】
さらに、上記実施形態によれば、リング部材５００の孔内で支柱片１１０，１２０同士を重ね合わせた状態で分解できるので、取扱性の更なる向上が図れるものである。
【００９８】
（第５の実施形態）
本考案の第５の実施形態について、図１４、図１６乃び図１７を参照して説明する。第１乃至第４の実施形態と同一部分及び同一機能については、同一番号を付して説明する。また、台座部２００及びケース体３００については、同一につき説明は省略する。
【００９９】
本実施形態に係わるかつらスタンド１００は、支柱片１１０，１２０に係合片１１８，１２８と係合片受け部１１９，１２９を形成するとともに、安定部材たるリング部材５００を設けたことを特徴とする。また、かつらスタンド１００は、例えば厚さ１．０ｍｍ程度の反発性を有し、折り曲げると強度が増す性質を有するＰＰ製の２枚の支柱片同士を組合せることにより、組立てられるものである。
【０１００】
支柱片１１０は中心線Ａ−Ａに対して線対称の形状であり、その上部１１０aは緩やかな曲線状（略半円形状または半楕円状）に形成され、中央部１１０ｂの近傍は幅が狭くくびれ状に形成され、下部１１０ｃには水平方向に指向する脚片部１１２，１１２が形成されている。また、支柱片１１０には、中心線Ａ−Ａ上の下部１１０ｃから中央部１１０ｂにかけて上方に指向する第一の切込み部１１４が形成されている。
【０１０１】
脚片部１１２は、その上部１１２ａに内方へ指向する切欠き状の切欠き部１１６が形成されている。また、脚片部１１２の下端部１１２ｂは、支柱片１１０の下端部１１０ｄよりも下方へ突出するよう形成されている。
【０１０２】
なお、第一の切込み部１１４の中央部位上側には、係合片１１８が形成されている。また、支柱片１１０の上部１１０ａ側の中心線Ａ−Ａ上には、係合片受け部１１９が形成されている。
【０１０３】
また、支柱片１１０の上部側には、例えば支柱片１１０の下端部から上方に向かって全体の高さＨの３／４に当たる位置には、切欠き状のリング部材受け部（安定部材受け部）１３２，１３２が形成されている。
【０１０４】
他方の支柱片１２０はその外周形状は支柱片１１０と略同じであり、中心線Ｂ−Ｂに対して線対称の形状で、その上部１２０aは緩やかな曲線状（略半円形状または半楕円状）に形成され、中央部１２０ｂの近傍は幅が狭くくびれ状に形成され、下部１２０ｃには水平方向に指向する脚片部１２２，１２２が形成されている。また、支柱片１２０には、中央部（中心線Ｂ−Ｂ上）に上部１２０ａから中央部１２０ｂにかけて下方に指向する第二の切込み部１２４が形成されている。
【０１０５】
脚片部１２２は、その上部１２２ａに内方へ指向する切欠き状の切欠き部１２６が形成されている。また、脚片部１２２の下端部１２２ｂは、支柱片１２０の下端部１２０ｄよりも下方へ突出するよう形成されている。
【０１０６】
なお、第二の切込み部１２４の中央部位上側には、係合片１２８が形成されており、組立て時に係合片受け部１１９に嵌め込み係合するよう構成されている。また、支柱片１２０の中央部１２０ｂから下部１２０ｃ側の中心線Ｂ−Ｂ上には、係合片受け部１２９が形成されており、組立て時に係合片１１８が嵌め込まれて係合するよう構成されている。
【０１０７】
また、支柱片１２０の上部側には、例えば支柱片１２０の下端部から上方に向かって全体の高さＨの３／４に当たる位置には、切欠き状のリング部材受け部（安定部材受け部）１３４，１３４が形成されている。
【０１０８】
リング部材５００は、前述の図１４に示すように内側に嵌合機構５２０を形成した外観が円形状のＰＰ製の安定部材である。即ち、このリング部材５００はあたかも蝶の翅を拡げたような形状の孔が穿設され、その孔の四箇所の頂点部分５００ａ，５００ａ，５００ａ，５００ａにリング部材受け部１３２，１３２，１３４，１３４と嵌合する嵌合機構５２０，５２０，５２０，５２０を形成している。ここで、穿設した孔を蝶の翅を拡げたような形状としたのは、リング部材５００を支柱片１１０，１２０から取り外すことなくリング部材５００の内側に支柱片１１０，１２０を位置させたままで、支柱片１１０，１２０を重ね合わせられるようにするためである。なお、リング部材５００の形状は外観が楕円形状であってもよい。
【０１０９】
而して支柱片１１０の下方から支柱片１２０を上方へ移動させて、第二の切込み部１２４を第一の切込み部１１４にクロス状態になるよう挿し込み係合させる。或いは、支柱片１２０の上方から支柱片１１０を下方へ移動させて、第一の切込み部１１４を第二の切込み部１２４にクロス状態になるよう挿し込み係合させる。この後、係合片１１８を係合片受け部１２９に嵌め込み係合させる。続いて、係合片１２８を係合片受け部１１９に嵌め込み係合させる。そして、クロス状態に組立てられた支柱片１１０，１２０のリング部材受け部１３２，１３２，１３４，１３４にリング部材５００の嵌合機構５２０を嵌め込めば、即ち孔の頂点部分５００ａを夫々嵌め込めば、上部が緩やかな曲線状に形成されたかつら受け部１００ａを構成し、下部は水平方向に指向する四つの脚部１００ｂが形成されるかつらスタンド１００になる。
組立てられたかつらスタンド１００は、どちらか一方の支柱片、即ち支柱片１１０または支柱片１２０をリング部材５００との嵌合状態を解除し、係合片１１８，１２８と係合片受け部１２９，１１９との嵌め込みによる係合状態を解除すると、リング部材５００を取り外すことなく、リング部材５００の孔内で支柱片１１０，１２０同士を重ね合わせた状態で分解できるものである。
【０１１０】
上記実施形態によれば、簡単な構造で組立て及び分解が容易でコンパクト且つ携帯性及び耐久性に優れるかつらスタンドを提供できるものである。また、かつらの形態を崩さずに安定してかつらを載置できるとともに、その形状から通気性にも優れ、取扱性及び衛生面での向上を図れるものである。さらに、安価に生産することが可能なかつらスタンドを提供できるという経済的且つ実用的効果を奏する。
【０１１１】
さらに、上記実施形態によれば、係合片１１８，１２８と係合片受け部１１９，１２９及びリング部材５００によりかつらスタンドの組立て時及びかつら載置時のさらなる安定性の向上が図れるものである。しかも、リング部材５００の孔内で支柱片１１０，１２０同士を重ね合わせた状態で分解できるので、取扱性の更なる向上が図れるものである。
【０１１２】
（第６の実施形態）
本考案の第６の実施形態について、図１８乃至図２０を参照して説明する。前述の実施形態、特に第２の実施形態と同一部分及び同一機能については、同一番号を付して説明する。また、台座部２００及びケース体３００については、同一につき説明は省略する。
【０１１３】
本実施形態に係わるかつらスタンド１００は、リング部材４００の他にさらに安定部材たる第二のリング部材６００を設けたことを特徴とする。また、かつらスタンド１００は、例えば厚さ１．０ｍｍ程度の反発性を有し、折り曲げると強度が増す性質を有するＰＰ製の２枚の支柱片１１０，１２０同士を組合せることにより、組立てられるものである。
【０１１４】
支柱片１１０は中心線Ａ−Ａに対して線対称の形状であり、その上部１１０aは緩やかな曲線状（略半円形状または半楕円状）に形成され、中央部１１０ｂの近傍は幅が狭くくびれ状に形成され、下部１１０ｃには水平方向に指向する脚片部１１２，１１２が形成されている。また、支柱片１１０には、中心線Ａ−Ａ上の下部１１０ｃから中央部１１０ｂにかけて上方に指向する第一の切込み部１１４が形成されている。
【０１１５】
脚片部１１２は、その上部１１２ａに内方へ指向する切欠き状の切欠き部１１６が形成されている。また、脚片部１１２の下端部１１２ｂは、支柱片１１０の下端部１１０ｄよりも下方へ突出するよう形成されている。
【０１１６】
なお、支柱片１１０の上部側には、例えば支柱片１１０の下端部から上方に向かって全体の高さＨの３／４に当たる位置には、切欠き状のリング部材受け部（安定部材受け部）１３２，１３２が形成されている。さらに、リング部材受け部１３２，１３２の上方部位には第二のリング部材受け部（安定部材受け部）１３６，１３６が形成されている。
【０１１７】
他方の支柱片１２０はその外周形状は支柱片１１０と略同じであり、中心線Ｂ−Ｂに対して線対称の形状で、その上部１２０aは緩やかな曲線状（略半円形状または半楕円状）に形成され、中央部１２０ｂの近傍は幅が狭くくびれ状に形成され、下部１２０ｃには水平方向に指向する脚片部１２２，１２２が形成されている。また、支柱片１２０には、中央部（中心線Ｂ−Ｂ上）に上部１２０ａから中央部１２０ｂにかけて下方に指向する第二の切込み部１２４が形成されている。
【０１１８】
脚片部１２２は、その上部１２２ａに内方へ指向する切欠き状の切欠き部１２６が形成されている。また、脚片部１２２の下端部１２２ｂは、支柱片１２０の下端部１２０ｄよりも下方へ突出するよう形成されている。
【０１１９】
なお、支柱片１２０の上部側には、支柱片１１０と同様に例えば支柱片１２０の下端部から上方に向かって全体の高さＨの３／４に当たる位置には、切欠き状のリング部材受け部（安定部材受け部）１３４，１３４が形成されている。さらに、リング部材受け部１３４，１３４の上方部位には第二のリング部材受け部（安定部材受け部）１３８，１３８が形成されている。
【０１２０】
リング部材４００は、内側に嵌合機構４２０を形成した外観が円形状のＰＰ製の安定部材である。即ち、このリング部材４００は十文字状の溝が穿設され、その十文字上の頂点部分４２０ａ，４２０ａ，４２０ａ，４２０ａがリング部材受け部１３２，１３２，１３４，１３４に嵌合する嵌合機構４２０を形成している。なお、リング部材４００の形状は外観が楕円形状であってもよい。
【０１２１】
第二のリング部材６００は、内側に嵌合機構６２０を形成した外観が円形状のＰＰ製の安定部材である。即ち、この第二のリング部材６００は十文字状の溝が穿設され、その十文字上の頂点部分６２０ａ，６２０ａ，６２０ａ，６２０ａがリング部材受け部１３６，１３６，１３８，１３８に嵌合する嵌合機構６２０を形成している。なお、この第二のリング部材６００の形状は外観が楕円形状であってもよい。
【０１２２】
而して支柱片１１０の下方から支柱片１２０を上方へ移動させて、第二の切込み部１２４を第一の切込み部１１４にクロス状態になるよう挿し込み係合させる。或いは、支柱片１２０の上方から支柱片１１０を下方へ移動させて、第一の切込み部１１４を第二の切込み部１２４にクロス状態になるよう挿し込み係合させる。そして、クロス状態に組立てられた支柱片１１０，１２０のリング部材受け部１３２，１３２，１３４，１３４にリング部材４００の嵌合機構４２０を嵌め込む、即ち十文字上の頂点部分４２０ａを夫々嵌め込む。続いて、支柱片１１０，１２０のリング部材受け部１３６，１３６，１３８，１３８に第二のリング部材６００の嵌合機構６２０を嵌め込めば、即ち十文字上の頂点部分６２０ａを夫々嵌め込めば、上部が緩やかな曲線状に形成されたかつら受け部１００ａを構成し、下部は水平方向に指向する四つの脚部１００ｂが形成されるかつらスタンド１００になる。
【０１２３】
上記実施形態によれば、簡単な構造で組立て及び分解が容易でコンパクト且つ携帯性及び耐久性に優れるかつらスタンドを提供できるものである。また、かつらの形態を崩さずに安定してかつらを載置できるとともに、その形状から通気性にも優れ、取扱性及び衛生面での向上を図れるものである。さらに、安価に生産することが可能なかつらスタンドを提供できるという経済的且つ実用的効果を奏する。
【０１２４】
さらに、上記実施形態によれば、リング部材４００及び第二のリング部材６００によりかつらスタンドの組立て時及びかつら載置時のさらなる安定性の向上が図れるものである。
【０１２５】
図２１及び図２２は、上記実施形態に係る変形例である。この変形例では、かつらスタンド１００の分解時、支柱片１１０，１２０を分散させることなく重ねた状態で管理することが可能な安定部材たるリング部材５００及び第二のリング部材７００を設けたことを特徴とする。
【０１２６】
第二のリング部材７００は、リング部材５００と相似形をなし、内側に嵌合機構７２０を形成した外観が円形状のＰＰ製の安定部材である。即ち、このリング部材７００はあたかも蝶の翅を拡げたような形状の孔が穿設され、当該孔の四箇所の頂点部分７００ａ，７００ａ，７００ａ，７００ａにリング部材受け部１３６，１３６，１３８，１３８と嵌合する嵌合機構７２０を形成している。ここで、穿設した孔を蝶の翅を拡げたような形状としたのは、第二のリング部材７００を支柱片１１０，１２０から取り外すことなく第二のリング部材７００の内側に支柱片１１０，１２０を位置させたままで、支柱片１１０，１２０を重ね合わせられるようにするためである。なお、第二のリング部材７００の形状は外観が楕円形状であってもよい。
【０１２７】
而して支柱片１１０の下方から支柱片１２０を上方へ移動させて、第二の切込み部１２４を第一の切込み部１１４にクロス状態になるよう挿し込み係合させる。或いは、支柱片１２０の上方から支柱片１１０を下方へ移動させて、第一の切込み部１１４を第二の切込み部１２４にクロス状態になるよう挿し込み係合させる。そして、クロス状態に組立てられた支柱片１１０，１２０のリング部材受け部１３２，１３２，１３４，１３４にリング部材５００の嵌合機構５２０を嵌め込む、即ち孔の頂点部分５００ａを夫々嵌め込む。続いて、支柱片１１０，１２０のリング部材受け部１３６，１３６，１３８，１３８に第二のリング部材７００の嵌合機構７２０を嵌め込めば、即ち孔の頂点部分７２０ａを夫々嵌め込めば、上部が緩やかな曲線状に形成されたかつら受け部１００ａを構成し、下部は水平方向に指向する四つの脚部１００ｂが形成されるかつらスタンド１００になる。
組立てられたかつらスタンド１００は、どちらか一方の支柱片、即ち支柱片１１０または支柱片１２０をリング部材５００及び第二のリング部材７００との嵌合状態を解除すると、リング部材５００及び第二のリング部材７００を取り外すことなく、リング部材５００及び第二のリング部材７００の孔内で支柱片１１０，１２０同士を重ね合わせた状態で分解できるものである。
【０１２８】
（第７の実施形態）
本考案の第７の実施形態について、図１９、図２３及び図２４を参照して説明する。前述の実施形態、特に第２の実施形態と同一部分及び同一機能については、同一番号を付して説明する。また、台座部２００及びケース体３００については、同一につき説明は省略する。
【０１２９】
本実施形態に係わるかつらスタンド１００は、リング部材４００の他にさらに安定部材たる第二のリング部材６００を設けたことを特徴とする。また、かつらスタンド１００は、例えば厚さ１．０ｍｍ程度の反発性を有し、折り曲げると強度が増す性質を有するＰＰ製の２枚の支柱片１１０，１２０同士を組合せることにより、組立てられるものである。
【０１３０】
支柱片１１０は中心線Ａ−Ａに対して線対称の形状であり、その上部１１０aは緩やかな曲線状（略半円形状または半楕円状）に形成され、中央部１１０ｂの近傍は幅が狭くくびれ状に形成され、下部１１０ｃには水平方向に指向する脚片部１１２，１１２が形成されている。また、支柱片１１０には、中心線Ａ−Ａ上の下部１１０ｃから中央部１１０ｂにかけて上方に指向する第一の切込み部１１４が形成されている。
【０１３１】
脚片部１１２は、その上部１１２ａに内方へ指向する切欠き状の切欠き部１１６が形成されている。また、脚片部１１２の下端部１１２ｂは、支柱片１１０の下端部１１０ｄよりも下方へ突出するよう形成されている。
【０１３２】
なお、第一の切込み部１１４の中央部位上側には、係合片１１８が形成されている。また、支柱片１１０の上部１１０ａ側の中心線Ａ−Ａ上には、係合片受け部１１９が形成されている。
【０１３３】
また、支柱片１１０の上部側には、例えば支柱片１１０の下端部から上方に向かって全体の高さＨの３／４に当たる位置には、切欠き状のリング部材受け部（安定部材受け部）１３２，１３２が形成されている。さらに、リング部材受け部１３２，１３２の上方部位には第二のリング部材受け部（安定部材受け部）１３６，１３６が形成されている。
【０１３４】
他方の支柱片１２０はその外周形状は支柱片１１０と略同じであり、中心線Ｂ−Ｂに対して線対称の形状で、その上部１２０aは緩やかな曲線状（略半円形状または半楕円状）に形成され、中央部１２０ｂの近傍は幅が狭くくびれ状に形成され、下部１２０ｃには水平方向に指向する脚片部１２２，１２２が形成されている。また、支柱片１２０には、中央部（中心線Ｂ−Ｂ上）に上部１２０ａから中央部１２０ｂにかけて下方に指向する第二の切込み部１２４が形成されている。
【０１３５】
脚片部１２２は、その上部１２２ａに内方へ指向する切欠き状の切欠き部１２６が形成されている。また、脚片部１２２の下端部１２２ｂは、支柱片１２０の下端部１２０ｄよりも下方へ突出するよう形成されている。
【０１３６】
なお、第二の切込み部１２４の中央部位上側には、係合片１２８が形成されており、組立て時に係合片受け部１１９に嵌め込み係合するよう構成されている。また、支柱片１２０の中央部１２０ｂから下部１２０ｃ側の中心線Ｂ−Ｂ上には、係合片受け部１２９が形成されており、組立て時に係合片１１８が嵌め込まれて係合するよう構成されている。
【０１３７】
また、支柱片１２０の上部側には、例えば支柱片１２０の下端部から上方に向かって全体の高さＨの３／４に当たる位置には、切欠き状のリング部材受け部（安定部材受け部）１３４，１３４が形成されている。さらに、リング部材受け部１３４，１３４の上方部位には第二のリング部材受け部（安定部材受け部）１３８，１３８が形成されている。
【０１３８】
リング部材４００は、前述の図９に示すように内側に嵌合機構４２０を形成した外観が円形状のＰＰ製の安定部材である。即ち、このリング部材４００は十文字状の溝が穿設され、その十文字上の頂点部分４２０ａ，４２０ａ，４２０ａ，４２０ａがリング部材受け部１３２，１３２，１３４，１３４に嵌合する嵌合機構４２０を形成している。なお、リング部材４００の形状は外観が楕円形状であってもよい。
【０１３９】
第二のリング部材６００は、内側に嵌合機構６２０を形成した外観が円形状のＰＰ製の安定部材である。即ち、この第二のリング部材６００は十文字状の溝が穿設され、その十文字上の頂点部分６２０ａ，６２０ａ，６２０ａ，６２０ａがリング部材受け部１３６，１３６，１３８，１３８に嵌合する嵌合機構６２０を形成している。なお、この第二のリング部材６００の形状は外観が楕円形状であってもよい。
【０１４０】
而して支柱片１１０の下方から支柱片１２０を上方へ移動させて、第二の切込み部１２４を第一の切込み部１１４にクロス状態になるよう挿し込み係合させる。或いは、支柱片１２０の上方から支柱片１１０を下方へ移動させて、第一の切込み部１１４を第二の切込み部１２４にクロス状態になるよう挿し込み係合させる。この後、係合片１１８を係合片受け部１２９に嵌め込み係合させる。続いて、係合片１２８を係合片受け部１１９に嵌め込み係合させる。そして、クロス状態に組立てられた支柱片１１０，１２０のリング部材受け部１３２，１３２，１３４，１３４にリング部材４００の嵌合機構４２０を嵌め込む、即ち十文字上の頂点部分４２０ａを夫々嵌め込む。続いて、支柱片１１０，１２０のリング部材受け部１３６，１３６，１３８，１３８に第二のリング部材６００の嵌合機構６２０を嵌め込めば、即ち十文字上の頂点部分６２０ａを夫々嵌め込めば、上部が緩やかな曲線状に形成されたかつら受け部１００ａを構成し、下部は水平方向に指向する四つの脚部１００ｂが形成されるかつらスタンド１００になる。
【０１４１】
上記実施形態によれば、簡単な構造で組立て及び分解が容易でコンパクト且つ携帯性及び耐久性に優れるかつらスタンドを提供できるものである。また、かつらの形態を崩さずに安定してかつらを載置できるとともに、その形状から通気性にも優れ、取扱性及び衛生面での向上を図れるものである。さらに、安価に生産することが可能なかつらスタンドを提供できるという経済的且つ実用的効果を奏する。
【０１４２】
さらに、上記実施形態によれば、リング部材４００及び第二のリング部材６００によりかつらスタンドの組立て時及びかつら載置時のさらなる安定性の向上が図れるものである。
【０１４３】
図２５は、上記実施形態に係る変形例である。この変形例では、かつらスタンド１００の分解時、支柱片１１０，１２０を分散させることなく重ねた状態で管理することが可能な安定部材たるリング部材５００及び第二のリング部材７００（図２１参照）を設けたことを特徴とする。
【０１４４】
第二のリング部材７００は、リング部材５００と相似形をなし、内側に嵌合機構７２０を形成した外観が円形状のＰＰ製の安定部材である。即ち、このリング部材７００はあたかも蝶の翅を拡げたような形状の孔が穿設され、当該孔の四箇所の頂点部分７００ａ，７００ａ，７００ａ，７００ａにリング部材受け部１３６，１３６，１３８，１３８と嵌合する嵌合機構７２０を形成している。ここで、穿設した孔を蝶の翅を拡げたような形状としたのは、第二のリング部材７００を支柱片１１０，１２０から取り外すことなく第二のリング部材７００の内側に支柱片１１０，１２０を位置させたままで、支柱片１１０，１２０を重ね合わせられるようにするためである。なお、第二のリング部材７００の形状は外観が楕円形状であってもよい。
【０１４５】
而して支柱片１１０の下方から支柱片１２０を上方へ移動させて、第二の切込み部１２４を第一の切込み部１１４にクロス状態になるよう挿し込み係合させる。或いは、支柱片１２０の上方から支柱片１１０を下方へ移動させて、第一の切込み部１１４を第二の切込み部１２４にクロス状態になるよう挿し込み係合させる。そして、クロス状態に組立てられた支柱片１１０，１２０のリング部材受け部１３２，１３２，１３４，１３４にリング部材５００の嵌合機構５２０を嵌め込む、即ち孔の頂点部分５００ａを夫々嵌め込む。続いて、支柱片１１０，１２０のリング部材受け部１３６，１３６，１３８，１３８に第二のリング部材７００の嵌合機構７２０を嵌め込めば、即ち孔の頂点部分７２０ａを夫々嵌め込めば、上部が緩やかな曲線状に形成されたかつら受け部１００ａを構成し、下部は水平方向に指向する四つの脚部１００ｂが形成されるかつらスタンド１００になる。
組立てられたかつらスタンド１００は、どちらか一方の支柱片、即ち支柱片１１０または支柱片１２０をリング部材５００及び第二のリング部材７００との嵌合状態を解除し、係合片１１８，１２８と係合片受け部１１９，１２９との係合状態を解除すると、リング部材５００及び第二のリング部材７００を取り外すことなく、リング部材５００及び第二のリング部材７００の孔内で支柱片１１０，１２０同士を重ね合わせた状態で分解できるものである。
【０１４６】
（第８の実施形態）
本考案の第８の実施形態について、図１９、図２６及び図２７を参照して説明する。前述の実施形態、特に第７の実施形態と同一部分及び同一機能については、同一番号を付して説明は省略する。また、台座部２００及びケース体３００についても同一につき説明は省略する。
【０１４７】
本実施形態に係わるかつらスタンド１００は、係合片１１８，１２８及び係合片受け部１１９，１２９の他にさらに係合片１４８と係合片受け部１４９を設けたことを特徴とする。
即ち、係合片１１８の下方位置に係合片１４８を第一の切込み部１１４に形成してある。しかもこの係合片１４８は、係合片１１８が形成されている部位（図２６中、中心線Ａ−Ａの右側の第一の切込み部１１４の縁）とは反対側の部位（図２６中、中心線Ａ−Ａの左側の第一の切込み部１１４の縁）に形成してある。係合片１１８と係合片１４８を互い違いの位置関係に設けてあるのは、組立て時脚部１００ｂの安定性を高めるよう機能するためのものである。また、係合片受け部１２９の下方位置に係合片受け部１４９を第二の切込み部１２４に形成してある。しかもこの係合片受け部１４９は、係合片受け部１２９が形成されている部位（図２６中、中心線Ｂ−Ｂの左側）とは反対側の部位に形成してある。
【０１４８】
上記実施形態によれば、簡単な構造で組立て及び分解が容易でコンパクト且つ携帯性及び耐久性に優れるかつらスタンドを提供できるものである。また、かつらの形態を崩さずに安定してかつらを載置できるとともに、その形状から通気性にも優れ、取扱性及び衛生面での向上を図れるものである。さらに、安価に生産することが可能なかつらスタンドを提供できるという経済的且つ実用的効果を奏する。
【０１４９】
さらに、上記実施形態によれば、係合片１４８及び係合片受け部１４９により、かつらスタンドの組立て時及びかつら載置時のさらなる安定性の向上が図れるものである。
【０１５０】
上記実施形態の変形例として図２１に示すようなリング部材５００及び第二のリング部材７００を用いることで、リング部材５００及び第二のリング部材７００の孔内で支柱片１１０，１２０同士を重ね合わせた状態で分解できるものである。
【０１５１】
（第９の実施形態）
本考案の第９の実施形態について、図２８及び図２９を参照して説明する。前述の実施形態と同一部分及び同一機能については、同一番号を付して説明は省略する。また、台座部２００及びケース体３００についても同一につき説明は省略する。
【０１５２】
本実施形態に係わるかつらスタンド１００は、一方の支柱片１１０の中央部位（図２８中、中心線Ａ−Ａ上）の上部近傍から下部近傍にかけて切込み部１５２が形成され、他方の支柱片１２０の中央部位（図２８中、中心線Ｂ−Ｂ上）の上部及び下部に切欠き部１５４，１５６が夫々形成されている。而して、支柱片１２０を支柱片１１０の切込み部１５２に対してクロスするよう挿入し、切欠き部１５４，１５６を切込み部１５２の上下端に嵌め込むようにして係合させることにより、かつらスタンド１００が組立てられることを特徴としている。
【０１５３】
図３０及び図３１に示すかつらスタンド１００は、上記実施形態の変形例であり、図９に示すリング部材４００を着脱自在に装着できるようにしたものである。即ち、支柱片１１０，１２０に夫々リング部材受け部１３２，１３４を形成したものである。
【０１５４】
図３２に示すかつらスタンド１００は、上記実施形態のさらなる変形例であり、図１４に示すリング部材５００を着脱自在に装着できるようにしたものである。即ち、支柱片１１０，１２０に夫々リング部材受け部１３２，１３４を形成したものである。
【０１５５】
図３３及び図３４に示すかつらスタンド１００は、上記実施形態のさらなる変形例であり、図１９に示すリング部材４００及び第二のリング部材６００を着脱自在に装着できるようにしたものである。即ち、支柱片１１０，１２０に夫々リング部材受け部１３２，１３４と第二のリング部材受け部１３６，１３８を形成したものである。
【０１５６】
図３５に示すかつらスタンド１００は、上記実施形態のさらなる変形例であり、図２１に示すリング部材５００及び第二のリング部材７００を着脱自在に装着できるようにしたものである。即ち、支柱片１１０，１２０に夫々リング部材受け部１３２，１３４と第二のリング部材受け部１３６，１３８を形成したものである。
【０１５７】
（第１０の実施形態）
本考案の第１０の実施形態について、図３６及び図３７を参照して説明する。前述の実施形態と同一部分及び同一機能については、同一番号を付して説明は省略する。また、台座部２００及びケース体３００についても同一につき説明は省略する。
【０１５８】
本実施形態に係わるかつらスタンド１００は、一方の支柱片１１０の中央部位（図３６中、中心線Ａ−Ａ上）の上部近傍から下部近傍にかけて切込み部１５２が形成されている。また、支柱片１１０の上部側には、例えば支柱片１２０の下端部から上方に向かって全体の高さＨのおおよそ３／４に相当する位置には、係合つめ片受け部１６２が切込み部１５２に形成されている。この係合つめ片受け部１６２には切欠き部１６２ａが形成されている。
他方の支柱片１２０の中央部位（図３６中、中心線Ｂ−Ｂ上）の上部及び下部に切欠き部１５４，１５６が夫々形成されている。また、支柱片１２０の上部側には、例えば支柱片１２０の下端部から上方に向かって全体の高さＨのおおよそ３／４に相当する位置には、係合つめ片受け部１６２と係合する係合つめ片１６４が形成されている。この係合つめ片１６４は半円状を呈し、頂点部位には切欠き部１６４ａが形成されている。
而して、支柱片１２０を支柱片１１０の切込み部１５２に対してクロスするよう挿入し、切欠き部１５４，１５６を切込み部１５２の上下端に嵌め込むようにして係合させた後に、係合つめ片１６４を係合つめ片受け部１６２に差し込み切欠き部１６４ａを切欠き部１６２ａに係合させることにより、かつらスタンド１００が組立てられることを特徴としている。
【０１５９】
図３８及び図３９に示すかつらスタンド１００は、上記実施形態の変形例であり、図９に示すリング部材４００を着脱自在に装着できるようにしたものである。即ち、支柱片１１０，１２０に夫々リング部材受け部１３２，１３４を形成したものである。
【０１６０】
図４０に示すかつらスタンド１００は、上記実施形態のさらなる変形例であり、図１４に示すリング部材５００を着脱自在に装着できるようにしたものである。即ち、支柱片１１０，１２０に夫々リング部材受け部１３２，１３４を形成したものである。
【０１６１】
図４１及び図４２に示すかつらスタンド１００は、上記実施形態のさらなる変形例であり、図１９に示すリング部材４００及び第二のリング部材６００を着脱自在に装着できるようにしたものである。即ち、支柱片１１０，１２０に夫々リング部材受け部１３２，１３４と第二のリング部材受け部１３６，１３８を形成したものである。
【０１６２】
図４３に示すかつらスタンド１００は、上記実施形態のさらなる変形例であり、図２１に示すリング部材５００及び第二のリング部材７００を着脱自在に装着できるようにしたものである。即ち、支柱片１１０，１２０に夫々リング部材受け部１３２，１３４と第二のリング部材受け部１３６，１３８を形成したものである。
【０１６３】
（第１１の実施形態）
本考案の第１１の実施形態について、図９、図４４及び図４５を参照して説明する。前述の実施形態と同一部分及び同一機能については、同一番号を付して説明は省略する。また、台座部２００及びケース体３００についても同一につき説明は省略する。
【０１６４】
本実施形態に係わるかつらスタンド１００は、夫々の支柱片１１０，１２０の中央部位（図４４中、中心線Ａ−Ａ上、中心線Ｂ−Ｂ上）の上部から下部にかけて折り目１７２，１７４が設けられている。この折り目１７２，１７４を介して支柱片１１０，１２０は線対称形状となり折り曲げが可能となるよう構成されている。而して、支柱片１１０，１２０を折り目１７２，１７４を介して直角に折り曲げて支柱片１１０，１２０同士を折り目１７２，１７４部分にて当接させる。この状態でリング部材４００をリング部材受け部１３２，１３４に嵌合機構４２０を嵌め込むことにより、かつらスタンド１００が組立てられることになる。
【０１６５】
図４６に示すかつらスタンド１００は、上記実施形態の変形例であり、図１４に示すリング部材５００を着脱自在に装着できるようにしたものである。
【０１６６】
図４７及び図４８に示すかつらスタンド１００は、上記実施形態のさらなる変形例であり、図１９に示すリング部材４００及び第二のリング部材６００を着脱自在に装着できるようにしたものである。即ち、支柱片１１０，１２０に夫々第二のリング部材受け部１３６，１３８を形成したものである。
【０１６７】
図４９に示すかつらスタンド１００は、上記実施形態のさらなる変形例であり、図２１に示すリング部材５００及び第二のリング部材７００を着脱自在に装着できるようにしたものである。即ち、支柱片１１０，１２０に夫々第二のリング部材受け部１３６，１３８を形成したものである。
【０１６８】
（第１２の実施形態）
本考案の第１２の実施形態について、図５０及び図５１を参照して説明する。前述の実施形態と同一部分及び同一機能については、同一番号を付して説明は省略する。また、台座部２００及びケース体３００についても同一につき説明は省略する。
【０１６９】
本実施形態に係わるかつらスタンド１００は、夫々の支柱片１１０，１２０の中央部位（図５０中、中心線Ａ−Ａ上、中心線Ｂ−Ｂ上）の上部から下部にかけて折り目１７２，１７４が設けられている。この折り目１７２，１７４を介して支柱片１１０，１２０は線対称形状となり折り曲げが可能となるよう構成されている。支柱片１１０の折り目１７２上には、その上部側に上部係合片受け部１８２が、その下部側に下部係合片受け部１８４が形成されている。また、支柱片１２０の折り目１７４上には、その上部側に上部係合片受け部１８２に挿し込まれて係合する上部係合片１８６が、またその下部側に下部係合片受け部１８４に挿し込まれて係合する下部係合片１８８が形成されている。
而して、支柱片１１０，１２０を折り目１７２，１７４を介して直角に折り曲げて支柱片１１０，１２０同士を折り目１７２，１７４部分にて当接させて、上部係合片受け部１８２に上部係合片１８６を挿し込み係合させるとともに、下部係合片受け部１８４に下部係合片１８８を挿し込み係合させる。この状態でリング部材４００をリング部材受け部１３２，１３４に嵌合機構４２０を嵌め込むことにより、かつらスタンド１００が組立てられることになる。
【０１７０】
図５２及び図５３に示すかつらスタンド１００は、上記実施形態の変形例であり、図９に示すリング部材４００を着脱自在に装着できるようにしたものである。即ち、支柱片１１０，１２０に夫々リング部材受け部１３２，１３４を形成したものである。
【０１７１】
図５４に示すかつらスタンド１００は、上記実施形態のさらなる変形例であり、図１４に示すリング部材５００を着脱自在に装着できるようにしたものである。
【０１７２】
図５５及び図５６に示すかつらスタンド１００は、上記実施形態のさらなる変形例であり、図１９に示すリング部材４００及び第二のリング部材６００を着脱自在に装着できるようにしたものである。即ち、支柱片１１０，１２０に夫々リング部材受け部１３２，１３４及び第二のリング部材受け部１３６，１３８を形成したものである。
【０１７３】
図５７に示すかつらスタンド１００は、上記実施形態のさらなる変形例であり、図２１に示すリング部材５００及び第二のリング部材７００を着脱自在に装着できるようにしたものである。即ち、支柱片１１０，１２０に夫々リング部材受け部１３２，１３４及び第二のリング部材受け部１３６，１３８を形成したものである。
【０１７４】
（第１３の実施形態）
本考案の第１３の実施形態について、図９、図５８及び図５９を参照して説明する。前述の実施形態と同一部分及び同一機能については、同一番号を付して説明は省略する。また、台座部２００及びケース体３００についても同一につき説明は省略する。
【０１７５】
本実施形態に係わるかつらスタンド１００は、夫々の支柱片１１０，１２０の中央部位（図５８中、中心線Ａ−Ａ上、中心線Ｂ−Ｂ上）の上部から下部にかけて折り目１７２，１７４が設けられている。この折り目１７２，１７４を介して支柱片１１０，１２０は線対称形状となり折り曲げが可能となるよう構成されている。また、支柱片１１０，１２０は折り目１７２，１７４を境界として右側部分を支柱片右部１１０ｅ，１２０ｅ、左側部分を支柱片左部１１０ｆ，１２０ｆとしている。そして、支柱片右部１１０ｆの右側（図５８参照）には、支柱片左部１１０ｅと同形状・同面積の支柱片左部１１０ｇが境界線Ｃ−Ｃを介して線対称となるよう且つ折り曲げ可能となるよう、リング受け部１３２近傍及び脚片部１１２にて繋がるよう設けられている。同様に、支柱片右部１２０ｆの右側（図５８参照）には、支柱片左部１２０ｅと同形状・同面積の支柱片左部１２０ｇが境界線Ｄ−Ｄを介して線対称となるよう且つ折り曲げ可能となるよう、リング受け部１３４近傍及び脚片部１２２にて繋がるよう設けられている。なお、支柱片左部１１０ｇ，１２０ｇには、支柱片１１０，１２０と同様にリング受け部１３２，１３４が形成されている。
【０１７６】
而して、支柱片右部１１０ｆ，１２０ｆを折り目１７２，１７４を介して支柱片左部１１０ｅ，１２０ｅに対して直角となるよう折り曲げるとともに、支柱片左部１１０ｇ，１２０ｇを支柱片右部１１０ｆ，１２０ｆに重なるよう折り曲げて、支柱片１１０，１２０同士を折り目１７２，１７４部分にて当接させる。この状態でリング部材４００をリング受け部１３２，１３４に嵌合機構４２０を嵌め込むことにより、かつらスタンド１００が組立てられることになる。
【０１７７】
図６０に示すかつらスタンド１００は、上記実施形態の変形例であり、図１４に示すリング部材５００を着脱自在に装着できるようにしたものである。
【０１７８】
図６１及び図６２に示すかつらスタンド１００は、上記実施形態のさらなる変形例であり、図１９に示すリング部材４００及び第二のリング部材６００を着脱自在に装着できるようにしたものである。即ち、支柱片左部１１０ｅ，１２０ｅ、支柱片右部１１０ｆ，１２０ｆ、支柱片左部１１０ｇ，１２０ｇに夫々第二のリング部材受け部１３６，１３８を形成したものである。
【０１７９】
図６３に示すかつらスタンド１００は、上記実施形態のさらなる変形例であり、図２１に示すリング部材５００及び第二のリング部材７００を着脱自在に装着できるようにしたものである。即ち、支柱片左部１１０ｅ，１２０ｅ、支柱片右部１１０ｆ，１２０ｆ、支柱片左部１１０ｇ，１２０ｇに夫々第二のリング部材受け部１３６，１３８を形成したものである。
【０１８０】
（第１４の実施形態）
本考案の第１４の実施形態について、図６４及び図６５を参照して説明する。前述の実施形態と同一部分及び同一機能については、同一番号を付して説明は省略する。また、台座部２００及びケース体３００についても同一につき説明は省略する。
【０１８１】
本実施形態に係わるかつらスタンド１００は、夫々の支柱片１１０，１２０の中央部位（図６４中、中心線Ａ−Ａ上、中心線Ｂ−Ｂ上）の上部から下部にかけて折り目１７２，１７４が設けられている。この折り目１７２，１７４を介して支柱片１１０，１２０は線対称形状となり折り曲げが可能となるよう構成されている。また、支柱片１１０，１２０は折り目１７２，１７４を境界として右側部分を支柱片右部１１０ｅ，１２０ｅ、左側部分を支柱片左部１１０ｆ，１２０ｆとしている。そして、支柱片右部１１０ｆの右側（図６４参照）には、支柱片左部１１０ｅと同形状・同面積の支柱片左部１１０ｇが境界線Ｃ−Ｃを介して線対称となるよう且つ折り曲げ可能となるよう、リング部材受け部１３２近傍及び脚片部１１２にて繋がるよう設けられている。同様に、支柱片右部１２０ｆの右側（図６４参照）には、支柱片左部１２０ｅと同形状・同面積の支柱片左部１２０ｇが境界線Ｄ−Ｄを介して線対称となるよう且つ折り曲げ可能となるよう、リング部材受け部１３４近傍及び脚片部１２２にて繋がるよう設けられている。なお、支柱片左部１１０ｇ，１２０ｇには、支柱片１１０，１２０と同様にリング部材受け部１３２，１３４が形成されている。
【０１８２】
ところで、支柱片１１０の折り目１７２上には、上部側に二個の下部側に一個の係合つめ片１９２が設けられている。そして、支柱片左部１１０ｇの一端部には係合つめ片受け部１９４が形成されている。また、支柱片１２０の折り目１７４上には、係合つめ片受け部１９４に挿し込まれて係合する一個の係合つめ片１９６が設けられている。そして、支柱片左部１２０ｇの一端部には係合つめ片１９２が挿し込まれて係合する係合つめ片受け部１９８が三個形成されている。
【０１８３】
而して、支柱片右部１１０ｆ，１２０ｆを折り目１７２，１７４を介して支柱片左部１１０ｅ，１２０ｅに対して直角となるよう折り曲げるとともに、支柱片左部１１０ｇ，１２０ｇを支柱片右部１１０ｆ，１２０ｆに重なるよう折り曲げる。そして、支柱片１１０，１２０同士を折り目１７２，１７４部分にて当接状態になるよう係合つめ片１９２，１９２，１９５を係合つめ片受け部１９８，１９８，１９８に、係合つめ片１９６を係合つめ片受け部１９４に挿し込み係合させることにより、かつらスタンド１００が組立てられることになる。
【０１８４】
図６６及び図６７に示すかつらスタンド１００は、上記実施形態の変形例であり、図９に示すリング部材４００を着脱自在に装着できるようにしたものである。即ち、支柱片１１０，１２０に夫々リング部材受け部１３２，１３４を形成したものである。
【０１８５】
図６８に示すかつらスタンド１００は、上記実施形態のさらなる変形例であり、図１４に示すリング部材５００を着脱自在に装着できるようにしたものである。
【０１８６】
図６９及び図７０に示すかつらスタンド１００は、上記実施形態のさらなる変形例であり、図１９に示すリング部材４００及び第二のリング部材６００を着脱自在に装着できるようにしたものである。即ち、支柱片左部１１０ｅ，１２０ｅ、支柱片右部１１０ｆ，１２０ｆ、支柱片左部１１０ｇ，１２０ｇに夫々第二のリング部材受け部１３６，１３８を形成したものである。
【０１８７】
図７１に示すかつらスタンド１００は、上記実施形態のさらなる変形例であり、図２１に示すリング部材５００及び第二のリング部材７００を着脱自在に装着できるようにしたものである。即ち、支柱片左部１１０ｅ，１２０ｅ、支柱片右部１１０ｆ，１２０ｆ、支柱片左部１１０ｇ，１２０ｇに夫々第二のリング部材受け部１３６，１３８を形成したものである。
【０１８８】
（第１５の実施形態）
本考案の第１５の実施形態について、図９、図７２及び図７３を参照して説明する。前述の実施形態と同一部分及び同一機能については、同一番号を付して説明は省略する。また、台座部２００及びケース体３００についても同一につき説明は省略する。
【０１８９】
本実施形態に係わるかつらスタンド１００は、夫々の支柱片１１０，１２０の中央部位（図７２中、中心線Ａ−Ａ上、中心線Ｂ−Ｂ上）の上部から下部にかけて折り目１７２，１７４が設けられている。この折り目１７２，１７４を介して支柱片１１０，１２０は線対称形状となり折り曲げが可能となるよう構成されている。また、支柱片１１０，１２０は折り目１７２，１７４を境界として左側部分を支柱片左部１１０ｅ，１２０ｅ、右側部分を支柱片右部１１０ｆ，１２０ｆとしている。そして、支柱片右部１１０ｆの右側（図７２参照）には、支柱片左部１１０ｅ及び支柱片右部１１０ｆと同形状・同面積の支柱片左部１１０ｇ及び支柱片右部１１０ｈが境界線Ｃ−Ｃを介して線対称となるよう且つ折り曲げ可能となるよう、リング部材受け部１３２近傍及び脚片部１１２にて繋がるよう設けられている。ここで、支柱片左部１１０ｇ及び支柱片右部１１０ｈは、支柱片左部１１０ｅ及び支柱片右部１１０ｆと同様、線対称に中心線Ｅ−Ｅ上に折り目１７２が設けられている。
同様に、支柱片右部１２０ｆの右側（図７２参照）には、支柱片左部１２０ｅ及び支柱片右部１２０ｆと同形状・同面積の支柱片左部１２０ｇ及び支柱片右部１２０ｈが境界線Ｄ−Ｄを介して線対称となるよう且つ折り曲げ可能となるよう、リング部材受け部１３４近傍及び脚片部１２２にて繋がるよう設けられている。ここで、支柱片左部１２０ｇ及び支柱片右部１２０ｈは、支柱片左部１２０ｅ及び支柱片右部１２０ｆと同様、線対称に中心線Ｆ−Ｆ上に折り目１７４が設けられている。
【０１９０】
而して、支柱片右部１１０ｆ，１２０ｆと支柱片左部１１０ｇ，１２０ｇとを重ね合わせるようにするとともに、支柱片左部１１０ｅと支柱片左部１２０ｅ、支柱片右部１１０ｈと支柱片右部１２０ｈが重なるよう直角に折り曲げる。この状態でリング部材４００をリング部材受け部１３２，１３４に嵌合機構４２０を嵌め込むことにより、かつらスタンド１００が組立てられることになる。
【０１９１】
図７４に示すかつらスタンド１００は、上記実施形態の変形例であり、図１４に示すリング部材５００を着脱自在に装着できるようにしたものである。
【０１９２】
図７５及び図７６に示すかつらスタンド１００は、上記実施形態のさらなる変形例であり、図１９に示すリング部材４００及び第二のリング部材６００を着脱自在に装着できるようにしたものである。即ち、支柱片左部１１０ｅ，１２０ｅ、支柱片右部１１０ｆ，１２０ｆ、支柱片左部１１０ｇ，１２０ｇ、支柱片右部１１０ｈ，１２０ｈに夫々第二のリング部材受け部１３６，１３８を形成したものである。
【０１９３】
図７７に示すかつらスタンド１００は、上記実施形態のさらなる変形例であり、図２１に示すリング部材５００及び第二のリング部材７００を着脱自在に装着できるようにしたものである。即ち、支柱片右部１１０ｅ，１２０ｅ、支柱片左部１１０ｆ，１２０ｆ、支柱片左部１１０ｇ，１２０ｇ、支柱片右部１１０ｈ，１２０ｈに夫々第二のリング部材受け部１３６，１３８を形成したものである。
【０１９４】
（第１６の実施形態）
本考案の第１６の実施形態について、図７８を参照して説明する。前述の実施形態と同一部分及び同一機能については、同一番号を付して説明は省略する。また、台座部２００及びケース体３００についても、同一につき説明は省略する。
【０１９５】
本実施形態に係わるかつらスタンド１００は、夫々の支柱片１１０，１２０の中央部位（図７８中、中心線Ａ−Ａ上、中心線Ｂ−Ｂ上）の上部から下部にかけて折り目１７２，１７４が設けられている。この折り目１７２，１７４を介して支柱片１１０，１２０は線対称形状となり折り曲げが可能となるよう構成されている。また、支柱片１１０，１２０は折り目１７２，１７４を境界として左側部分を支柱片左部１１０ｅ，１２０ｅ、右側部分を支柱片右部１１０ｆ，１２０ｆとしている。そして、支柱片右部１１０ｆの右側（図７８参照）には、支柱片左部１１０ｅ及び支柱片右部１１０ｆと同形状・同面積の支柱片左部１１０ｇ及び支柱片右部１１０ｈが境界線Ｃ−Ｃを介して線対称となるよう且つ折り曲げ可能となるよう、リング部材受け部１３２近傍及び脚片部１１２にて繋がるよう設けられている。ここで、支柱片左部１１０ｇ及び支柱片右部１１０ｈは、支柱片左部１１０ｅ及び支柱片右部１１０ｆと同様、線対称に中心線Ｅ−Ｅ上に折り目１７２が設けられている。
同様に、支柱片右部１２０ｆの右側（図７８参照）には、支柱片左部１２０ｅ及び支柱片右部１２０ｆと同形状・同面積の支柱片左部１２０ｇ及び支柱片右部１２０ｈが境界線Ｄ−Ｄを介して線対称となるよう且つ折り曲げ可能となるよう、リング部材受け部１３４近傍及び脚片部１２２にて繋がるよう設けられている。ここで、支柱片左部１２０ｇ及び支柱片右部１２０ｈは、支柱片左部１２０ｅ及び支柱片右部１２０ｆと同様、線対称に中心線Ｆ−Ｆ上に折り目１７４が設けられている。
【０１９６】
ところで、支柱片左部１１０ｅと支柱片右部１１０ｆとの間に有する折り目１７２上には、上部側に一個の係合つめ片受け部８１２が設けられている。そして、支柱片左部１１０ｇと支柱片１１０ｈとの間に有する折り目１７２上には、上部側及び下部側に一個ずつ係合つめ片８１４が設けられている。また、支柱片左部１２０ｅと支柱片右部１２０ｆとの間に有する折り目１７４上には、係合つめ片８１４が挿し込まれて係合する係合つめ片受け部８２２が上部側及び下部側に一個ずつ形成されている。そして、支柱片左部１２０ｇと支柱片１２０ｈとの間に有する折り目１７４上には、係合つめ片受け部８１２に挿し込まれて係合する係合つめ片８２４が上部側に一個が設けられている。
【０１９７】
而して、支柱片右部１１０ｆ，１２０ｆと支柱片左部１１０ｇ，１２０ｇとを重ね合わせるようにするとともに、支柱片左部１１０ｅと支柱片左部１２０ｅ、支柱片右部１１０ｈと支柱片右部１２０ｈが重なるよう直角に折り曲げる。そして、係合つめ片８１４，８１４を係合つめ片受け部８２２，８２２に、係合つめ片８２４を係合つめ片受け部８１２に夫々挿し込み係合させることにより、かつらスタンド１００が組立てられることになる。
なお、上部側の係合つめ片８１４，８２４と係合つめ片受け部８１２，８２２との係合状態により、かつらスタンド１００の上部側の固定及び安定性向上が図れるものである。また、支柱片右部１１０ｈの下部側の係合つめ片８１４と支柱片右部１２０ｆの下部側の係合つめ片受け部８２２との係合状態により、支柱片１１０と支柱片１２０とが強固に安定的に接続されるものである。
【０１９８】
図７９及び図８０に示すかつらスタンド１００は、上記実施形態の変形例であり、図９に示すリング部材４００を着脱自在に装着できるようにしたものである。即ち、支柱片左部１１０ｅ，１２０ｅ、支柱片右部１１０ｆ，１２０ｆ、支柱片左部１１０ｇ，１２０ｇ、支柱片右部１１０ｈ，１２０ｈに夫々リング部材受け部１３２，１３４を形成したものである。
【０１９９】
図８１に示すかつらスタンド１００は、上記実施形態のさらなる変形例であり、図１４に示すリング部材５００を着脱自在に装着できるようにしたものである。
【０２００】
図８２及び図８３に示すかつらスタンド１００は、上記実施形態のさらなる変形例であり、図１９に示すリング部材４００及び第二のリング部材６００を着脱自在に装着できるようにしたものである。即ち、支柱片左部１１０ｅ，１２０ｅ、支柱片右部１１０ｆ，１２０ｆ、支柱片左部１１０ｇ，１２０ｇ、支柱片右部１１０ｈ，１２０ｈに夫々第二のリング部材受け部１３６，１３８を形成したものである。
【０２０１】
図８４に示すかつらスタンド１００は、上記実施形態のさらなる変形例であり、図２１に示すリング部材５００及び第二のリング部材７００を着脱自在に装着できるようにしたものである。即ち、支柱片右部１１０ｅ，１２０ｅ、支柱片左部１１０ｆ，１２０ｆ、支柱片左部１１０ｇ，１２０ｇ、支柱片右部１１０ｈ，１２０ｈに夫々第二のリング部材受け部１３６，１３８を形成したものである。
【０２０２】
（第１７の実施形態）
本考案の第１７の実施形態について、図８５及び図８６を参照して説明する。前述の実施形態と同一部分及び同一機能については、同一番号を付して説明は省略する。また、台座部２００及びケース体３００についても、同一につき説明は省略する。
【０２０３】
本実施形態に係わるかつらスタンド１００は、一方の支柱片１１０の中央部位（図８５中、中心線Ａ−Ａ上）の上部近傍から下部近傍にかけて切込み部１５２が形成されている。また、支柱片１１０の上部側及び下部側には、係合つめ片受け部１６２，１６２が切込み部１５２に形成されている。この係合つめ片受け部１６２には切欠き部１６２ａが形成されている。ここで、係合つめ片受け部１６２は、上部側と下部側とでは、夫々が反対方向に指向するよう形成されている。即ち、図８５中、上部側に位置する係合つめ片受け部１６２は右側へ指向し、下部側に位置する係合つめ片受け部１６２は左側に指向するよう形成されている。これは、互い違いの方向に形成することにより、組立て時の固定による力の偏りを防止するよう機能させるためである。また、切込み部１５２の上部位、中部位、下部位には、夫々係合片９１２，９１２，９１２が形成されている。
他方の支柱片１２０の中央部位（図８５中、中心線Ｂ−Ｂ上）の上部及び下部に切欠き部１５４，１５６が夫々形成されている。また、支柱片１２０の上部側及び下部側には、係合つめ片受け部１６２と係合する係合つめ片１６４が夫々形成されている。この係合つめ片１６４は半円状を呈し、頂点部位には切欠き部１６４ａが形成されている。また、中央部位（図８５中、中心線Ｂ−Ｂ上）の上部位、中部位、下部位には、係合片９１２が挿し込まれて係合する係合片受け部９２４が夫々形成されている。
【０２０４】
而して、支柱片１２０を支柱片１１０の切込み部１５２に対してクロスするよう挿入し、切欠き部１５４，１５６を切込み部１５２の上下端に嵌め込むようにして係合させた後に、係合片９１２を係合片受け部９２４に夫々挿し込み係合させる。そして、係合つめ片１６４を係合つめ片受け部１６２に夫々挿し込み切欠き部１６４ａを切欠き部１６２ａに係合させることにより、かつらスタンド１００が組立てられることを特徴としている。
【０２０５】
本考案は上記実施形態に限定されることなく、その趣旨を逸脱しない限り種々の変形が可能なことは勿論である。
【産業上の利用可能性】
【０２０６】
本考案のかつらスタンドは、従来に比べて著しくシンプルな構造でコンパクトなスタンドを実現することができ、しかも、組立て分解性及び携帯性に優れ且つ製造コストを低減することができるので、かつらや帽子などの変形し易い物だけでなく、様々な対象物のスタンドとして使用することができるため、ますます市場の拡大が期待できものである。
【符号の説明】
【０２０７】
１００                  …かつらスタンド
１００ａ                …かつら受け部
１００ｂ                …脚部
１１０，１２０          …支柱片
１１０ｅ，１２０ｅ      …支柱片右部
１１０ｆ，１２０ｆ      …支柱片左部
１１０ｇ，１２０ｇ      …支柱片左部
１１２，１２２          …脚片部
１１４                  …第一の切込み部
１１８，１２８，１４８  …係合片
１１９，１２９，１４９  …係合片受け部
１２４                  …第二の切込み部
１３２，１３４          …リング部材受け部（安定部材受け部）
１３６，１３８          …第二のリング部材受け部（安定部材受け部）
１５２                  …切込み部
１５４，１５６          …切欠き部
１６２                  …係合つめ片受け部
１６４                  …係合つめ片
１７２，１７４          …折り目
１８２                  …上部係合片受け部
１８４                  …下部係合片受け部
１８６                  …上部係合片
１８８                  …下部係合片
１９２，１９６          …係合つめ片
１９４，１９８          …係合つめ片受け部
２００                  …台座部
３００                  …ケース体
４００，５００          …リング部材（安定部材）
６００，７００          …第二のリング部材（安定部材）
４２０，５２０          …嵌合機構
８１２，８２２          …係合つめ片受け部
８１４，８２４          …係合つめ片
９１２                  …係合片
９２４                  …係合片受け部
【図１】
0003196973.tif 000003
【図２】
0003196973.tif 000004
【図３】
0003196973.tif 000005
【図４】
0003196973.tif 000006
【図５】
0003196973.tif 000007
【図６】
0003196973.tif 000008
【図７】
0003196973.tif 000009
【図８】
0003196973.tif 000010
【図９】
0003196973.tif 000011
【図１０】
0003196973.tif 000012
【図１１】
0003196973.tif 000013
【図１２】
0003196973.tif 000014
【図１３】
0003196973.tif 000015
【図１４】
0003196973.tif 000016
【図１５】
0003196973.tif 000017
【図１６】
0003196973.tif 000018
【図１７】
0003196973.tif 000019
【図１８】
0003196973.tif 000020
【図１９】
0003196973.tif 000021
【図２０】
0003196973.tif 000022
【図２１】
0003196973.tif 000023
【図２２】
0003196973.tif 000024
【図２３】
0003196973.tif 000025
【図２４】
0003196973.tif 000026
【図２５】
0003196973.tif 000027
【図２６】
0003196973.tif 000028
【図２７】
0003196973.tif 000029
【図２８】
0003196973.tif 000030
【図２９】
0003196973.tif 000031
【図３０】
0003196973.tif 000032
【図３１】
0003196973.tif 000033
【図３２】
0003196973.tif 000034
【図３３】
0003196973.tif 000035
【図３４】
0003196973.tif 000036
【図３５】
0003196973.tif 000037
【図３６】
0003196973.tif 000038
【図３７】
0003196973.tif 000039
【図３８】
0003196973.tif 000040
【図３９】
0003196973.tif 000041
【図４０】
0003196973.tif 000042
【図４１】
0003196973.tif 000043
【図４２】
0003196973.tif 000044
【図４３】
0003196973.tif 000045
【図４４】
0003196973.tif 000046
【図４５】
0003196973.tif 000047
【図４６】
0003196973.tif 000048
【図４７】
0003196973.tif 000049
【図４８】
0003196973.tif 000050
【図４９】
0003196973.tif 000051
【図５０】
0003196973.tif 000052
【図５１】
0003196973.tif 000053
【図５２】
0003196973.tif 000054
【図５３】
0003196973.tif 000055
【図５４】
0003196973.tif 000056
【図５５】
0003196973.tif 000057
【図５６】
0003196973.tif 000058
【図５７】
0003196973.tif 000059
【図５８】
0003196973.tif 000060
【図５９】
0003196973.tif 000061
【図６０】
0003196973.tif 000062
【図６１】
0003196973.tif 000063
【図６２】
0003196973.tif 000064
【図６３】
0003196973.tif 000065
【図６４】
0003196973.tif 000066
【図６５】
0003196973.tif 000067
【図６６】
0003196973.tif 000068
【図６７】
0003196973.tif 000069
【図６８】
0003196973.tif 000070
【図６９】
0003196973.tif 000071
【図７０】
0003196973.tif 000072
【図７１】
0003196973.tif 000073
【図７２】
0003196973.tif 000074
【図７３】
0003196973.tif 000075
【図７４】
0003196973.tif 000076
【図７５】
0003196973.tif 000077
【図７６】
0003196973.tif 000078
【図７７】
0003196973.tif 000079
【図７８】
0003196973.tif 000080
【図７９】
0003196973.tif 000081
【図８０】
0003196973.tif 000082
【図８１】
0003196973.tif 000083
【図８２】
0003196973.tif 000084
【図８３】
0003196973.tif 000085
【図８４】
0003196973.tif 000086
【図８５】
0003196973.tif 000087
【図８６】
0003196973.tif 000088